(57)【要約】      （修正有）【課題】ＵＥが第１のｅＮＢと第２のｅＮＢにアップリンク送信電力を適切に割り振る方法、デバイス、装置および非一時的コンピュータ可読記憶媒体を提供する。【解決手段】ＵＥが第１および第２のｅＮＢとの接続を確立することと、ｅＮＢがアップリンク通信のために無線リソースをＵＥに提供し、ＵＥが第１のｅＮＢと少なくとも第２のｅＮＢとの間へのアップリンク送信電力の割振りを含む指示を第１のｅＮＢから受信することと、指示に基づいてＵＥから第１および第２のｅＮＢにアップリンク通信を送信することを備える。さらに、第１のｅＮＢが少なくとも第１のｅＮＢおよび第２のｅＮＢとのＵＥのための多重接続通信を調整することと、ｅＮＢが第１のｅＮＢと少なくとも第２のｅＮＢとの間へのアップリンク送信電力の割振りをＵＥのために決定することと、アップリンク送信電力の割振りの割振りを含む指示を第１のｅＮＢからＵＥに送信することを備える。【選択図】図３
2020061740.tif 000002
【特許請求の範囲】
【請求項１】
ユーザ機器（ＵＥ）によるワイヤレス通信の方法であって、
第１の進化型ノードＢ（ｅＮＢ）および第２のｅＮＢとの接続を確立することと、ここにおいて、前記第１のｅＮＢと前記第２のｅＮＢの各々が、それぞれのアップリンク通信のために無線リソースを前記ＵＥに提供し、
前記ＵＥにおいて、前記第１のｅＮＢと少なくとも前記第２のｅＮＢとの間へのアップリンク送信電力の割振りを備える指示を、前記第１のｅＮＢから受信することと、
前記指示に基づいて、前記ＵＥから前記第１のｅＮＢおよび前記第２のｅＮＢに前記アップリンク通信を送信することとを備える、方法。
【請求項２】
前記第１のｅＮＢと前記第２のｅＮＢの両方のための電力ヘッドルーム情報を備える電力ヘッドルーム報告を前記ＵＥにおいて生成することと、
前記電力ヘッドルーム報告を前記第１のｅＮＢに送信することとをさらに備える、請求項１に記載の方法。
【請求項３】
前記電力ヘッドルーム情報が、前記第１のｅＮＢと前記第２のｅＮＢの両方からのスケジューリング情報に少なくとも一部基づき、前記第１のｅＮＢおよび前記第２のｅＮＢがリソースの異なるセット上で前記ＵＥとの通信をスケジューリングする、請求項２に記載の方法。
【請求項４】
前記第１のｅＮＢまたは前記第２のｅＮＢから受信されたトリガメッセージに応答して、前記電力ヘッドルーム報告が前記第１のｅＮＢまたは前記第２のｅＮＢに送信される、請求項２に記載の方法。
【請求項５】
前記トリガメッセージが、前記第１のｅＮＢまたは前記第２のｅＮＢがアップリンクセルをアクティブ化したことの指示を備える、請求項４に記載の方法。
【請求項６】
前記電力ヘッドルーム報告を前記第２のｅＮＢに送信することをさらに備える、請求項２に記載の方法。
【請求項７】
前記第２のｅＮＢの測定された経路損失に基づいて、前記電力ヘッドルーム報告を前記ＵＥにおいてトリガすることをさらに備える、請求項２に記載の方法。
【請求項８】
前記ＵＥによって、前記第１のｅＮＢと前記第２のｅＮＢとの間へのアップリンク送信電力の前記割振りを修正することをさらに備える、請求項１に記載の方法。
【請求項９】
アップリンク送信電力の前記割振りの前記修正が、前記ｅＮＢの一方のためのアップリンクデータまたは制御情報の、前記ｅＮＢの他方に対する優先度に基づく、請求項８に記載の方法。
【請求項１０】
前記ＵＥにおいて、前記指示に基づいて、前記第１のｅＮＢまたは前記第２のｅＮＢによって制御される複数のセルの各々のアップリンク送信電力を決定することをさらに備える、請求項１に記載の方法。
【請求項１１】
前記第１のｅＮＢがマスタｅＮＢを備え、前記第２のｅＮＢがセカンダリｅＮＢを備える、請求項１に記載の方法。
【請求項１２】
ユーザ機器（ＵＥ）におけるワイヤレス通信のための装置であって、
第１の進化型ノードＢ（ｅＮＢ）および第２のｅＮＢとの接続を確立するための手段と、ここにおいて、前記第１のｅＮＢと前記第２のｅＮＢの各々が、それぞれのアップリンク通信のために無線リソースを前記ＵＥに提供し、
前記ＵＥにおいて、前記第１のｅＮＢと少なくとも前記第２のｅＮＢとの間へのアップリンク送信電力の割振りを備える指示を、前記第１のｅＮＢから受信するための手段と、  前記指示に基づいて、前記ＵＥから前記第１のｅＮＢおよび前記第２のｅＮＢに前記アップリンク通信を送信するための手段とを備える、装置。
【請求項１３】
前記第１のｅＮＢと前記第２のｅＮＢの両方のための電力ヘッドルーム情報を備える電力ヘッドルーム報告を前記ＵＥにおいて生成するための手段と、
前記電力ヘッドルーム報告を前記第１のｅＮＢに送信するための手段とをさらに備える、請求項１２に記載の装置。
【請求項１４】
前記電力ヘッドルーム情報が、前記第１のｅＮＢと前記第２のｅＮＢの両方からのスケジューリング情報に少なくとも一部基づき、前記第１のｅＮＢおよび前記第２のｅＮＢがリソースの異なるセット上で前記ＵＥとの通信をスケジューリングする、請求項１３に記載の装置。
【請求項１５】
前記第１のｅＮＢまたは前記第２のｅＮＢから受信されたトリガメッセージに応答して、前記電力ヘッドルーム報告が前記第１のｅＮＢまたは前記第２のｅＮＢに送信される、請求項１３に記載の装置。
【請求項１６】
前記トリガメッセージが、前記第１のｅＮＢまたは前記第２のｅＮＢがアップリンクセルをアクティブ化したことの指示を備える、請求項１５に記載の装置。
【請求項１７】
前記電力ヘッドルーム報告を前記第２のｅＮＢに送信するための手段をさらに備える、請求項１３に記載の装置。
【請求項１８】
前記第２のｅＮＢの測定された経路損失に基づいて、前記電力ヘッドルーム報告を前記ＵＥにおいてトリガするための手段をさらに備える、請求項１３に記載の装置。
【請求項１９】
前記ＵＥによって、前記第１のｅＮＢと前記第２のｅＮＢとの間へのアップリンク送信電力の前記割振りを修正するための手段をさらに備える、請求項１２に記載の装置。
【請求項２０】
アップリンク送信電力の前記割振りの前記修正が、前記ｅＮＢの一方のためのアップリンクデータまたは制御情報の、前記ｅＮＢの他方に対する優先度に基づく、請求項１９に記載のデバイス。
【請求項２１】
前記ＵＥにおいて、前記指示に基づいて、前記第１のｅＮＢまたは前記第２のｅＮＢによって制御される複数のセルの各々のアップリンク送信電力を決定するための手段をさらに備える、請求項１２に記載の装置。
【請求項２２】
前記第１のｅＮＢがマスタｅＮＢを備え、前記第２のｅＮＢがセカンダリｅＮＢを備える、請求項１２に記載のデバイス。
【請求項２３】
ワイヤレス通信の方法であって、
第１の進化型ノードＢ（ｅＮＢ）によって、少なくとも前記第１のｅＮＢおよび第２のｅＮＢとのユーザ機器（ＵＥ）のための多重接続通信を協調させることと、
前記ＵＥのために、前記ｅＮＢにおいて、前記第１のｅＮＢと少なくとも前記第２のｅＮＢとの間へのアップリンク送信電力の割振りを決定することと、
アップリンク送信電力割振りの前記割振りを備える指示を前記第１のｅＮＢから前記ＵＥに送信することとを備える、方法。
【請求項２４】
前記第２のｅＮＢから前記第１のｅＮＢにおいて受信されたメッセージに基づいて、前記第１のｅＮＢと前記第２のｅＮＢとの間へのアップリンク送信電力の前記割振りを調整することをさらに備える、請求項２３に記載の方法。
【請求項２５】
前記第１のｅＮＢから前記第２のｅＮＢにアップリンク送信電力の前記割振りを送信することをさらに備える、請求項２３に記載の方法。
【請求項２６】
前記第１のｅＮＢから前記第２のｅＮＢにアップリンク送信電力の前記割振りを送信することが、
前記第１のｅＮＢと前記第２のｅＮＢとの間のＸ２インターフェースを通じて、アップリンク送信電力の前記割振りを備えるメッセージを送信することを備える、請求項２５に記載の方法。
【請求項２７】
ワイヤレス通信のための装置であって、
第１の進化型ノードＢ（ｅＮＢ）によって、少なくとも前記第１のｅＮＢおよび第２のｅＮＢとのユーザ機器（ＵＥ）のための多重接続通信を協調させるための手段と、
前記ＵＥのために、前記ｅＮＢにおいて、前記第１のｅＮＢと少なくとも前記第２のｅＮＢとの間へのアップリンク送信電力の割振りを決定するための手段と、
アップリンク送信電力割振りの前記割振りを備える指示を前記第１のｅＮＢから前記ＵＥに送信するための手段とを備える、装置。
【請求項２８】
前記第２のｅＮＢから前記第１のｅＮＢにおいて受信されたメッセージに基づいて、前記第１のｅＮＢと前記第２のｅＮＢとの間へのアップリンク送信電力の前記割振りを調整するための手段をさらに備える、請求項２７に記載の装置。
【請求項２９】
前記第１のｅＮＢから前記第２のｅＮＢにアップリンク送信電力の前記割振りを送信するための手段をさらに備える、請求項２７に記載の装置。
【請求項３０】
前記第１のｅＮＢから前記第２のｅＮＢにアップリンク送信電力の前記割振りを送信するための前記手段が、
前記第１のｅＮＢと前記第２のｅＮＢとの間のＸ２インターフェースを通じて、アップリンク送信電力の前記割振りを備えるメッセージを送信するための手段を備える、請求項２９に記載の装置。
【発明の詳細な説明】
【技術分野】
【０００１】
相互参照
[0001]本特許出願は、２０１５年１月２８日に出願された「Ｕｐｌｉｎｋ  Ｔｒａｎｓｍｉｔ  Ｐｏｗｅｒ  Ａｌｌｏｃａｔｉｏｎ  Ａｎｄ  Ｐｏｗｅｒ  Ｈｅａｄｒｏｏｍ  Ｒｅｐｏｒｔｉｎｇ  Ｂｙ  Ａ  Ｕｓｅｒ  Ｅｑｕｉｐｍｅｎｔ  Ｉｎ  Ａ  Ｍｕｌｔｉ−Ｃｏｎｎｅｃｔｉｖｉｔｙ  Ｅｎｖｉｒｏｎｍｅｎｔ」という表題の、Ｖａｊａｐｅｙａｍ他による米国特許出願第１４／６０７，３４８号、および、２０１４年１月３０日に出願された「Ｕｐｌｉｎｋ  Ｔｒａｎｓｍｉｔ  Ｐｏｗｅｒ  Ａｌｌｏｃａｔｉｏｎ  Ａｎｄ  Ｐｏｗｅｒ  Ｈｅａｄｒｏｏｍ  Ｒｅｐｏｒｔｉｎｇ  Ｂｙ  Ａ  Ｕｓｅｒ  Ｅｑｕｉｐｍｅｎｔ  Ｉｎ  Ａ  Ｍｕｌｔｉ−Ｃｏｎｎｅｃｔｉｖｉｔｙ  Ｅｎｖｉｒｏｎｍｅｎｔ」という表題の、Ｖａｊａｐｅｙａｍ他による米国仮特許出願第６１／９３３，８２９号の優先権を主張し、これらの出願の各々が本出願の譲受人に譲渡される。
【０００２】
[0002]以下は、全般にワイヤレス通信に関し、より具体的には、カバレッジ増強技法を選択することに関する。
【背景技術】
【０００３】
[0003]ワイヤレス通信システムは、音声、ビデオ、パケットデータ、メッセージング、およびブロードキャストなどの様々なタイプの通信内容を提供するために広く展開されている。これらのシステムは、利用可能なシステムリソース（たとえば、時間、周波数および出力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]一般に、ワイヤレス多元接続通信システムは、各々が複数のユーザ機器（ＵＥ）のための通信を同時にサポートする、いくつかの進化型ノードＢ（ｅＮＢ）を含み得る。ｅＮＢは、ダウンストリーム通信リンク（その中でデータまたは制御信号がｅＮＢからＵＥに送信される）と、アップストリーム通信リンク（その中でデータまたは制御信号がＵＥからｅＮＢに送信される）の両方でＵＥと通信することができる。
【０００５】
[0005]多重接続環境（たとえば、マルチフロー）では、ＵＥは２つ以上のｅＮＢに同時に接続することができる。加えて、ＵＥは最大送信電力によって制約され得る。ｅＮＢは、ＵＥのアップリンク送信電力を別個に制御することを試みることができ、このことは時には、ＵＥに対して適切な最大送信電力を超える要求をもたらすことがある。
【発明の概要】
【０００６】
[0006]説明される方法、システム、装置、およびデバイスは一般に、多重接続環境にあるＵＥが第１のｅＮＢと第２のｅＮＢとの間とにアップリンク送信電力を割り振ることを可能にし、またはＵＥが第１のｅＮＢまたは第２のｅＮＢに電力ヘッドルームを報告することを可能にし、またはＵＥが第１のｅＮＢと第２のｅＮＢとの間へのアップリンク送信電力の割振りを修正すること（たとえば、ｅＮＢまたはセルから電力を借り、その電力を別のｅＮＢまたはセルに割り振ること）を可能にする。
【０００７】
[0007]本開示の第１の態様によれば、ユーザ機器（ＵＥ）によるワイヤレス通信の方法が説明される。一構成では、方法は、第１の進化型ノードＢ（ｅＮＢ）および第２のｅＮＢとの接続を確立することと、ここにおいて、第１のｅＮＢおよび第２のｅＮＢの各々がそれぞれのアップリンク通信のために無線リソースをＵＥに提供し、ＵＥにおいて、第１のｅＮＢと少なくとも第２のｅＮＢとの間へのアップリンク送信電力の割振りを含む指示を第１のｅＮＢから受信することと、指示に基づいてＵＥから第１のｅＮＢおよび第２のｅＮＢにアップリンク通信を送信することとを含み得る。
【０００８】
[0008]本開示の別の態様によれば、ＵＥによるワイヤレス通信のための装置が説明される。一構成では、デバイスは、第１の進化型ノードＢ（ｅＮＢ）および第２のｅＮＢとの接続を確立するための手段と、ここにおいて、第１のｅＮＢおよび第２のｅＮＢの各々がそれぞれのアップリンク通信のために無線リソースをＵＥに提供し、ＵＥにおいて、第１のｅＮＢと少なくとも第２のｅＮＢとの間へのアップリンク送信電力の割振りを備える指示を第１のｅＮＢから受信するための手段と、指示に基づいてＵＥから第１のｅＮＢおよび第２のｅＮＢにアップリンク通信を送信するための手段とを含み得る。
【０００９】
[0009]本開示の別の態様によれば、ＵＥによるワイヤレス通信のためのデバイスは、プロセッサと、プロセッサと電子通信しているメモリとを含み得る。命令がメモリに記憶されてよく、この命令は、第１の進化型ノードＢ（ｅＮＢ）および第２のｅＮＢとの接続を確立し、ここにおいて、第１のｅＮＢおよび第２のｅＮＢの各々がそれぞれのアップリンク通信のために無線リソースをＵＥに提供し、ＵＥにおいて、第１のｅＮＢと少なくとも第２のｅＮＢとの間へのアップリンク送信電力の割振りを備える指示を第１のｅＮＢから受信し、指示に基づいてＵＥから第１のｅＮＢおよび第２のｅＮＢにアップリンク通信を送信するように、プロセッサによって実行可能である。
【００１０】
[0010]本開示の別の態様によれば、ＵＥによるワイヤレス通信のためのコードを記憶する非一時的コンピュータ可読媒体が説明される。コードは、第１の進化型ノードＢ（ｅＮＢ）および第２のｅＮＢとの接続を確立し、ここにおいて、第１のｅＮＢおよび第２のｅＮＢの各々がそれぞれのアップリンク通信のために無線リソースをＵＥに提供し、ＵＥにおいて、第１のｅＮＢと少なくとも第２のｅＮＢへのアップリンク送信電力の割振りを備える指示を第１のｅＮＢから受信し、指示に基づいてＵＥから第１のｅＮＢおよび第２のｅＮＢとの間にアップリンク通信を送信するように実行可能な命令を含み得る。
【００１１】
[0011]上で説明された方法、装置、デバイス、または非一時的コンピュータ可読媒体のいくつかの例では、指示は、第１のｅＮＢまたは第２のｅＮＢが時分割複信（ＴＤＤ）モードで動作するとき、第１のｅＮＢまたは第２のｅＮＢのアップリンク／ダウンリンク（ＵＬ／ＤＬ）構成の少なくとも一部に基づき得る。指示は、たとえば時間インデックスを含み得る。
【００１２】
[0012]上で説明された方法、装置、デバイス、または非一時的コンピュータ可読媒体のいくつかの例では、指示は、実質的にすべてのアップリンク送信電力が第１のｅＮＢまたは第２のｅＮＢに割り振られるサブフレームの指示を含み得る。加えて、または代替的に、指示は、第１のｅＮＢとの通信および第２のｅＮＢとの通信への総アップリンク送信電力の割振りを備える。
【００１３】
[0013]上で説明された方法、装置、デバイス、または非一時的コンピュータ可読媒体のいくつかの例はさらに、ＵＥにおいて電力ヘッドルーム報告を生成するための処理、特徴、手段、または命令と、電力ヘッドルーム報告は、第１のｅＮＢと第２のｅＮＢの両方に対する電力ヘッドルーム情報を含む、第１のｅＮＢに電力ヘッドルーム報告を送信するための処理、特徴、手段、または命令とを含み得る。電力ヘッドルーム情報は、第１のｅＮＢと第２のｅＮＢの両方からのスケジューリング情報に少なくとも一部基づいてよく、第１のｅＮＢおよび第２のｅＮＢはリソースの異なるセット上でＵＥとの通信をスケジューリングすることができる。
【００１４】
[0014]上で説明された方法、装置、デバイス、または非一時的コンピュータ可読媒体のいくつかの例はさらに、電力ヘッドルーム報告に応答して、第１のｅＮＢからアップリンク送信電力の割振りを備える第２の指示を受信するための処理、特徴、手段、または命令を含んでよく、第２の指示は、第１のｅＮＢまたは第２のｅＮＢに割り振られるアップリンク送信電力の割振りを変更する。電力ヘッドルームは、第２の指示を受信した後で第１のｅＮＢまたは第２のｅＮＢに割り振られるアップリンク送信電力に関して、第１のｅＮＢおよび第２のｅＮＢのために決定され得る。
【００１５】
[0015]上で説明された方法、装置、デバイス、または非一時的コンピュータ可読媒体のいくつかの例はさらに、第１のｅＮＢまたは第２のｅＮＢから受信されたトリガメッセージに応答して、第１のｅＮＢまたは第２のｅＮＢに電力ヘッドルーム報告を送信するための処理、特徴、手段、または命令を含み得る。トリガメッセージは、第１のｅＮＢまたは第２のｅＮＢがアップリンクセルをアクティブ化したことの指示を含み得る。
【００１６】
[0016]上で説明された方法、装置、デバイス、または非一時的コンピュータ可読媒体のいくつかの例はさらに、第２のｅＮＢに電力ヘッドルーム報告を送信するための処理、特徴、手段、または命令を含み得る。電力ヘッドルーム報告を第２のｅＮＢに送信することは、第２のｅＮＢへのアップリンク送信のためにアップリンクリソースがＵＥに割り振られるという決定に基づき得る。
【００１７】
[0017]上で説明された方法、装置、デバイス、または非一時的コンピュータ可読媒体のいくつかの例では、ＵＥにおいて電力ヘッドルーム報告をトリガすることは、第１のｅＮＢまたは第２のｅＮＢに対するＵＥのアップリンク送信電力の割振りが閾値を通過したという決定に基づき得る。閾値は、第１のｅＮＢまたは第２のｅＮＢに対する最大アップリンク送信電力を含み得る。
【００１８】
[0018]上で説明された方法、装置、デバイス、または非一時的コンピュータ可読媒体のいくつかの例はさらに、第２のｅＮＢの測定された経路損失に基づいて、ＵＥにおいて電力ヘッドルーム報告をトリガするための処理、特徴、手段、または命令を含み得る。
【００１９】
[0019]上で説明された方法、装置、デバイス、または非一時的コンピュータ可読媒体のいくつかの例は、ＵＥにおいて電力ヘッドルーム報告を生成するための処理、特徴、手段、または命令を含んでよく、電力ヘッドルーム報告は第２のｅＮＢに対する電力ヘッドルーム情報を含む。上で説明された方法、デバイス、または非一時的コンピュータ可読媒体はさらに、第２のｅＮＢに電力ヘッドルーム報告を送信するための処理、特徴、手段、または命令を含み得る。
【００２０】
[0020]上で説明された方法、装置、デバイス、または非一時的コンピュータ可読媒体のいくつかの例はさらに、第１のｅＮＢと第２のｅＮＢとの間へのアップリンク送信電力の割振りをＵＥによって修正するための処理、特徴、手段、または命令を含み得る。アップリンク送信電力の割振りの修正は、ｅＮＢの一方のためのアップリンクデータまたは制御情報の、ｅＮＢの他方に対する優先度に基づき得る。電力ヘッドルーム報告は、第１のｅＮＢと第２のｅＮＢへのアップリンク送信電力の割振りのＵＥによる修正に基づいて、ＵＥにおいてトリガされ得る。電力ヘッドルーム報告は、第１のｅＮＢまたは第２のｅＮＢの１つのアップリンク送信電力がそのｅＮＢに割り振られている最大送信電力を超えたという指示を含み得る。第２の指示は第１のｅＮＢから受信されてよく、第２の指示は第１のｅＮＢと第２のｅＮＢとの間へのアップリンク送信電力の割振りを含む。第２の指示は、第１のｅＮＢと第２のｅＮＢとの間へのアップリンク送信電力の割振りのＵＥによる修正に応じたものであり得る。
【００２１】
[0021]上で説明された方法、装置、デバイス、または非一時的コンピュータ可読媒体のいくつかの例はさらに、指示に基づいて第１のｅＮＢまたは第２のｅＮＢによって制御される複数のセルの間へのアップリンク送信電力の割振りを決定するための処理、特徴、手段、または命令を含み得る。
【００２２】
[0022]上で説明された方法、装置、デバイス、または非一時的コンピュータ可読媒体のいくつかの例はさらに、ＵＥにおいて、指示に基づいて第１のｅＮＢまたは第２のｅＮＢによって制御される複数のセルの各々のアップリンク送信電力を決定するための処理、特徴、手段、または命令を含み得る。
【００２３】
[0023]上で説明された方法、装置、デバイス、または非一時的コンピュータ可読媒体のいくつかの例では、第１のｅＮＢはマスタｅＮＢであってよく、第２のｅＮＢはセカンダリｅＮＢであってよい。
【００２４】
[0024]本開示の別の態様によれば、ワイヤレス通信の方法が説明される。一構成では、方法は、第１のｅＮＢによって、少なくとも第１のｅＮＢおよび第２のｅＮＢとのＵＥのための多重接続通信を協調させることと、ｅＮＢにおいて、第１のｅＮＢと少なくとも第２のｅＮＢとの間へのアップリンク送信電力の割振りをＵＥのために決定することと、アップリンク送信電力割振りの割振りを含む指示を第１のｅＮＢからＵＥに送信することとを含み得る。
【００２５】
[0025]本開示の別の態様によれば、ワイヤレス通信のための装置は、第１の進化型ノードＢ（ｅＮＢ）によって、少なくとも第１のｅＮＢおよび第２のｅＮＢとのユーザ機器（ＵＥ）のための多重接続通信を協調させるための手段と、ｅＮＢにおいて、第１のｅＮＢと少なくとも第２のｅＮＢとの間へのアップリンク送信電力の割振りをＵＥのために決定するための手段と、アップリンク送信電力割振りの割振りを備える指示を第１のｅＮＢからＵＥに送信するための手段とを含み得る。
【００２６】
[0026]本開示の別の態様によれば、ワイヤレス通信のためのデバイスは、プロセッサと、プロセッサと電気的に通信しているメモリと、メモリに記憶された命令とを含み得る。命令は、第１の進化型ノードＢ（ｅＮＢ）によって、少なくとも第１のｅＮＢおよび第２のｅＮＢとのユーザ機器（ＵＥ）のための多重接続通信を協調させ、ｅＮＢにおいて、第１のｅＮＢと少なくとも第２のｅＮＢとの間へのアップリンク送信電力の割振りをＵＥのために決定し、アップリンク送信電力の割振りの割振りを備える指示を第１のｅＮＢからＵＥに送信するように、プロセッサによって実行可能であり得る。
【００２７】
[0027]本開示の別の態様によれば、ワイヤレス通信のためのコードを記憶する非一時的コンピュータ可読媒体が説明される。コードは、第１の進化型ノードＢ（ｅＮＢ）によって、少なくとも第１のｅＮＢおよび第２のｅＮＢとのユーザ機器（ＵＥ）のための多重接続通信を協調させ、ｅＮＢにおいて、第１のｅＮＢと少なくとも第２のｅＮＢとの間へのアップリンク送信電力の割振りをＵＥのために決定し、アップリンク送信電力割振りの割振りを備える指示を第１のｅＮＢからＵＥに送信するように実行可能な命令を含み得る。
【００２８】
[0028]上で説明された方法、装置、デバイス、または非一時的コンピュータ可読媒体のいくつかの例はさらに、ＵＥから電力ヘッドルーム報告を受信し、電力ヘッドルーム報告に基づいてＵＥのための第１のｅＮＢと第２のｅＮＢとの間へのアップリンク送信電力の割振りを調整するための処理、特徴、手段、または命令を含んでよく、電力ヘッドルーム報告は、少なくとも第１のｅＮＢと第２のｅＮＢ対する電力ヘッドルーム情報を含む。
【００２９】
[0029]上で説明された方法、装置、デバイス、または非一時的コンピュータ可読媒体のいくつかの例はさらに、第１のｅＮＢと第２のｅＮＢとの間へのアップリンク送信電力の割振りが電力ヘッドルーム報告に基づいて決定され得るを調整するための処理、特徴、手段、または命令を含み得る。上で説明された方法、装置、デバイス、または非一時的コンピュータ可読媒体は、ＵＥまたは第２のｅＮＢの少なくとも１つへのアップリンク送信電力の調整された割振りを送信するための処理、特徴、手段、または命令を含み得る。第２のｅＮＢのためのＵＥのアップリンク送信電力、第２のｅＮＢのための測定された経路損失の変動、または第２のｅＮＢがアップリンクセルをアクティブ化したことの少なくとも１つに応答して、電力ヘッドルーム報告が受信され得る。
【００３０】
[0030]上で説明された方法、デバイス、または非一時的コンピュータ可読媒体のいくつかの例はさらに、電力ヘッドルーム報告に基づいて、第１のｅＮＢと第２のｅＮＢとの間へのアップリンク送信電力の割振りをＵＥが修正したことを決定するための処理、特徴、手段、または命令を含み得る。ＵＥのための第１のｅＮＢと第２のｅＮＢへのアップリンク送信電力の調整された割振りは、第１のｅＮＢと第２のｅＮＢとの間へのアップリンク送信電力の割振りに対するＵＥによる修正に基づき得る。
【００３１】
[0031]上で説明された方法、装置、デバイス、または非一時的コンピュータ可読媒体のいくつかの例はさらに、第１のｅＮＢから第２のｅＮＢに電力ヘッドルーム報告を送信するための処理、特徴、手段、または命令を含み得る。
【００３２】
[0032]上で説明された方法、装置、デバイス、または非一時的コンピュータ可読媒体のいくつかの例はさらに、第２のｅＮＢから第１のｅＮＢにおいて受信されるメッセージに基づいて、第１のｅＮＢと第２のｅＮＢとの間へのアップリンク送信電力の割振りを調整するための処理、特徴、手段、または命令を含み得る。
【００３３】
[0033]上で説明された方法、装置、デバイス、または非一時的コンピュータ可読媒体のいくつかの例では、第１のｅＮＢと第２のｅＮＢとの間へのアップリンク送信電力の割振りは、第１のｅＮＢまたは第２のｅＮＢのアップリンク／ダウンリンク（ＵＬ／ＤＬ）構成に少なくとも一部基づき得る。
【００３４】
[0034]上で説明された方法、装置、デバイス、または非一時的コンピュータ可読媒体のいくつかの例では、指示が時間インデックスを含み得る。
【００３５】
[0035]上で説明された方法、装置、デバイス、または非一時的コンピュータ可読媒体のいくつかの例では、第１のｅＮＢと第２のｅＮＢとの間へのアップリンク送信電力の割振りは、第１のｅＮＢまたは第２のｅＮＢの複数のセルの間へのアップリンク送信電力の割振りを含み得る。
【００３６】
[0036]上で説明された方法、装置、デバイス、または非一時的コンピュータ可読媒体のいくつかの例はさらに、第１のｅＮＢから第２のｅＮＢにアップリンク送信電力の割振りを送信するための処理、特徴、手段、または命令を含み得る。第１のｅＮＢから第２のｅＮＢにアップリンク送信電力の割振りを送信することは、第１のｅＮＢと第２のｅＮＢとの間のＸ２インターフェースを通じて、アップリンク送信電力の割振りを含むメッセージを送信することを含み得る。
【００３７】
[0037]上で説明された方法、装置、デバイス、または非一時的コンピュータ可読媒体のいくつかの例はさらに、ＵＥと第２のｅＮＢとの間の通信とは独立に、ＵＥと第１のｅＮＢとの間の通信をスケジューリングするための処理、特徴、手段、または命令を含み得る。
【００３８】
[0038]上で説明された方法、装置、デバイス、または非一時的コンピュータ可読媒体のいくつかの例では、第１のｅＮＢはマスタｅＮＢであってよく、第２のｅＮＢはセカンダリｅＮＢであってよい。
【００３９】
[0039]説明される方法、装置、デバイス、および非一時的コンピュータ可読媒体の適用可能性のさらなる範囲は、以下の発明を実施するための形態、特許請求の範囲、および図面から明らかになろう。発明を実施するための形態の趣旨および範囲内の様々な変更および修正が当業者に明らかになるので、発明を実施するための形態および特定の例は例示として与えられるものにすぎない。
【００４０】
[0040]本発明の性質と利点とについてのさらなる理解は、以下の図面を参照することによって達成され得る。添付の図において、同様のコンポーネントまたは特徴は同じ参照ラベルを有し得る。さらに、同じタイプの種々のコンポーネントは、参照ラベルの後に、ダッシュと、それらの同様のコンポーネントを区別する第２のラベルとを続けることによって区別され得る。本明細書で第１の参照ラベルだけが使用される場合、説明は、第２の参照ラベルにかかわらず、同一の第１の参照ラベルを有する同様のコンポーネントのいずれにも適用可能である。
【図面の簡単な説明】
【００４１】
【図１】[0041]本開示の様々な態様による、ワイヤレス通信システムのブロック図。
【図２】[0042]本開示の様々な態様による、ワイヤレス通信システムのブロック図。
【図３】[0043]本開示の様々な態様による、ＵＥ、第１のｅＮＢ、および少なくとも第２のｅＮＢの間のメッセージの流れを示す図。
【図４】[0044]本開示の様々な態様による、ＵＥ、第１のｅＮＢ、および少なくとも第２のｅＮＢの間のメッセージの流れを示す図。
【図５】[0045]本開示の様々な態様による、ＵＥ、第１のｅＮＢ、および少なくとも第２のｅＮＢの間のメッセージの流れを示す図。
【図６】[0046]本開示の様々な態様による、ワイヤレス通信のために使用可能なデバイスの例のブロック図。
【図７】[0047]本開示の様々な態様による、ワイヤレス通信のために使用可能なデバイスの例のブロック図。
【図８】[0048]本開示の様々な態様による、ワイヤレス通信のために使用可能なデバイスの例のブロック図。
【図９】[0049]本開示の様々な態様による、ワイヤレス通信のために使用可能なデバイスの例のブロック図。
【図１０】[0050]本開示の様々な態様による、ワイヤレス通信のために使用可能なデバイスの例のブロック図。
【図１１】[0051]本開示の様々な態様による、ワイヤレス通信のために構成されるＵＥのブロック図。
【図１２】[0052]本開示の様々な態様による、ワイヤレス通信のために構成されるｅＮＢを示すブロック図。
【図１３】[0053]本開示の様々な態様による、ＵＥによるワイヤレス通信の方法を示すフローチャート。
【図１４】[0054]本開示の様々な態様による、ＵＥによるワイヤレス通信の方法を示すフローチャート。
【図１５】[0055]本開示の様々な態様による、ＵＥによるワイヤレス通信の方法を示すフローチャート。
【図１６】[0056]本開示の様々な態様による、ワイヤレス通信の方法を示すフローチャート。
【図１７】[0057]本開示の様々な態様による、ＵＥによるワイヤレス通信の方法を示すフローチャート。
【発明を実施するための形態】
【００４２】
[0058]マルチフロー環境のような多重接続環境では、ＵＥは２つ以上のｅＮＢに同時に接続することができる。そのような環境では、ＵＥは、ＵＥが接続する各ｅＮＢに対して、物理アップリンク共有チャネル（ＰＵＳＣＨ）または物理アップリンク制御チャネル（ＰＵＣＣＨ）を同時に提供することができる。加えて、ＵＥは、集合的にすべてのアップリンク通信に影響を与える最大送信電力によって制約され得る。したがって、本明細書で説明されるように、ＵＥが最大送信電力を超えるのを防ぐために、ＵＥが接続するｅＮＢは、ｅＮＢ間のアップリンク送信電力の割振りを決定するために互いに協調することができる。この決定を支援するために、ＵＥからｅＮＢの１つへの電力ヘッドルーム報告は、ＵＥが現在接続されているｅＮＢの各々に対する電力ヘッドルーム情報を含み得る。
【００４３】
[0059]３ＧＰＰ（登録商標）  「Ｌｏｎｇ  Ｔｅｒｍ  Ｅｖｏｌｕｔｉｏｎ」（ＬＴＥ（登録商標））または「ＬＴＥ−Ａｄｖａｎｃｅｄ」（ＬＴＥ−Ａ）ワイヤレス通信システムのようなワイヤレス通信システムは、ＵＥと１つまたは複数のｅＮＢとの間の様々な通信モードを提供することができる。通信モードのいくつかは、ＵＥが、１つまたは複数のｅＮＢの複数のセルに同時に接続することを可能にする。
【００４４】
[0060]キャリアアグリゲーション通信モードでは、ＲＲＣ＿ＣＯＮＮＥＣＴＥＤ状態にあるＵＥは、単一のｅＮＢの複数のセルに接続し、セルの各々によって提供される無線リソースを消費することができる。セルのすべてが単一のｅＮＢによって管理されるので、ＵＥと複数のセルとの間の通信は単一のｅＮＢによってスケジューリングされてよく、セル間の緊密な協調があり得る。
【００４５】
[0061]協調マルチポイント（ＣｏＭＰ：coordinated multi-point）通信モードでは、ＲＲＣ＿ＣＯＮＮＥＣＴＥＤ状態にあるＵＥは、２つ以上のｅＮＢによって提供される無線リソースを消費することができる。セルが２つ以上のｅＮＢによって管理されるにもかかわらず、セル間の緊密な協調があり得る。緊密な協調は、たとえば、同じキャリアを通じて行われる通信の結果として、または、複数のｅＮＢの間の理想的なバックホールの結果としてもたらされ得る。理想的なバックホールは、複数のｅＮＢの間でのフィードバックの高速な送信を可能にし得る。また、ＵＥと複数のｅＮＢとの間の通信は、単一のｅＮＢによってスケジューリングされ得る。
【００４６】
[0062]多重接続通信モードでは、ＲＲＣ＿ＣＯＮＮＥＣＴＥＤ状態にあるＵＥは、２つ以上によって管理される複数のセルに接続し、ｅＮＢの各々によって提供される無線リソースを消費することができる。多重接続の例は、限定はされないが、マルチフローと二重接続とを含む。しかしながら、異なるｅＮＢとの通信は異なるキャリアを通じて行われ、異なるｅＮＢによって独立にスケジューリングされ得るので、および、ｅＮＢ間でのフィードバックをより遅くする非理想的なバックホールが存在し得るので、異なるｅＮＢのセルの間には緩やかな協調しか存在しないことがある。
【００４７】
[0063]本明細書で説明される技法は、ＬＴＥ／ＬＴＥ−Ａワイヤレス通信システムに限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」および「ネットワーク」という用語はしばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５およびＩＳ−８５６規格を包含する。ＩＳ−２０００  Ｒｅｌｅａｓｅ  ０およびＡは、一般的に、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ（登録商標））などの無線技術を実装することができる。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ＬＴＥおよびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明される技法は、上で言及されたシステムおよび無線技術、ならびに他のシステムおよび無線技術のために使用され得る。しかしながら、以下の説明は、例としてＬＴＥ／ＬＴＥ−Ａワイヤレス通信システムを説明し、以下の説明の大部分においてＬＴＥ／ＬＴＥ−Ａの用語が使用されるが、本技法はＬＴＥ／ＬＴＥ−Ａの適用例以外に適用可能である。
【００４８】
[0064]以下の説明は例を与えるものであり、特許請求の範囲に記載される範囲、適用可能性、または構成を限定するものではない。本開示の趣旨および範囲から逸脱することなく、説明される要素の機能および構成において変更が行われ得る。様々な例は、適宜、様々な手順またはコンポーネント省略し、置換し、または追加し得る。たとえば、説明される方法は、説明されるものとは異なる順序で実行されてよく、様々なステップが追加され、省略され、または組み合わされ得る。また、いくつかの例に関して説明される特徴は、他の例においては組み合わせられ得る。
【００４９】
[0065]図１は、本開示の様々な態様による、ワイヤレス通信システム１００のブロック図を示す。ワイヤレス通信システム１００は、複数の進化型ノードＢ（ｅＮＢ）１０５と、ｅＮＢ１３５と、いくつかのユーザ機器（ＵＥ）１１５と、コアネットワーク１３０とを含み得る。ｅＮＢ１０５または１３５のいくつかは、バックホール１３２を通じてコアネットワーク１３０と制御情報またはユーザデータを通信することができる。いくつかの例では、ｅＮＢ１０５または１３５のいくつかは、有線またはワイヤレス通信リンクであり得るバックホールリンク１３４を通じて、互いに直接または間接的に通信することができる。ワイヤレス通信システム１００は、複数のキャリア（様々な周波数の波形信号）上での動作をサポートすることができる。マルチキャリア送信機は、変調された信号を複数のキャリア上で同時に送信し得る。たとえば、各通信リンク１２５は、様々な無線技術に従って変調されたマルチキャリア信号であり得る。各々の変調された信号は、異なるキャリア上で送られることがあり、制御情報（たとえば、参照信号、制御チャネルなど）、オーバーヘッド情報、データなどを搬送することができる。
【００５０】
[0066]ｅＮＢ１０５または１３５は、１つまたは複数のｅＮＢアンテナを介してＵＥ１１５とワイヤレスに通信することができる。ｅＮＢ１０５または１３５の各々は、それぞれのカバレッジエリア１１０に通信カバレッジを与えることができる。いくつかの例では、ｅＮＢ１０５または１３５は、基地局、基地局装置（ＢＴＳ）、無線基地局、無線送受信機、基本サービスセット（ＢＳＳ）、拡張サービスセット（ＥＳＳ）、進化型ノードＢ（ｅＮＢ）、ホームｅノードＢ、または何らかの他の適切な用語で呼ばれることがあり、またはそれらを含むことがある。ｅＮＢ１０５または１３５のカバレッジエリア１１０は、カバレッジエリアの一部分のみを構成するセクタ（図示されず）に分割され得る。ワイヤレス通信システム１００は、異なるタイプのｅＮＢ１０５または１３５（たとえば、マクロｅＮＢ、マイクロｅＮＢ、ピコｅＮＢ）を含み得る。ｅＮＢ１０５または１３５は、同じまたは異なるアクセスネットワークまたはモバイルネットワーク事業者（ＭＮＯ）展開と関連付けられ得る。同じまたは異なるタイプのｅＮＢのカバレッジエリアを含み、同じまたは異なるＭＮＯまたはアクセスネットワークに属する、異なるｅＮＢ１０５または１３５のカバレッジエリアは重複し得る。
【００５１】
[0067]いくつかの例では、ワイヤレス通信システム１００は、ＬＴＥ／ＬＴＥ−Ａワイヤレス通信システム（またはネットワーク）を含み得る。ワイヤレス通信システム１００は、異なるタイプのｅＮＢが様々な地理的領域にカバレッジを与える、異種ＬＴＥ／ＬＴＥ−Ａ／ＬＴＥ−Ｕネットワークであり得る。たとえば、各ｅＮＢ１０５または１３５は、マクロセル、ピコセル、フェムトセル、または他のタイプのセルの通信カバレッジを与え得る。ピコセル、フェムトセル、または他のタイプのセルなどのスモールセルは、低電力ノードまたはＬＰＮを含み得る。マクロセルは一般に、比較的大きい地理的エリア（たとえば、半径数キロメートル）をカバーし、サービスに加入しているＵＥによるネットワークプロバイダとの無制限アクセスを可能にし得る。ピコセルは、一般に、比較的小さい地理的エリアをカバーし、ネットワークプロバイダとのサービスに加入しているＵＥによる無制限アクセスを可能にし得る。また、フェムトセルは、一般に、比較的小さい地理的エリア（たとえば、自宅）をカバーし、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスも提供し得る。マクロセルのためのｅＮＢは、マクロｅＮＢと呼ばれ得る。ピコセルのためのｅＮＢは、ピコｅＮＢと呼ばれ得る。また、フェムトセルのためのｅＮＢは、フェムトｅＮＢまたはホームｅＮＢと呼ばれ得る。ｅＮＢは、１つまたは複数（たとえば、２つ、３つ、４つなど）のセルをサポートすることができる。
【００５２】
[0068]コアネットワーク１３０は、バックホール１３２または１３４（たとえば、Ｓ１アプリケーションプロトコルなど）を介してｅＮＢ１０５または１３５と通信することができる。ｅＮＢ１０５または１３５はまた、たとえば、バックホールリンク１３４を介して（たとえば、Ｘ２インターフェースなどを介して）、またはバックホール１３２を介して（たとえば、コアネットワーク１３０を通じて）、直接または間接的に互いに通信し得る。ワイヤレス通信システム１００は、同期動作または非同期動作をサポートすることができる。同期動作の場合、ｅＮＢは同様のフレームタイミングまたはゲーティングタイミングを有してよく、異なるｅＮＢからの送信は概ね時間的に揃えられてよい。非同期動作の場合、ｅＮＢは異なるフレームタイミングまたはゲーティングタイミングを有してよく、異なるｅＮＢからの送信は時間的に揃えられないことがある。本明細書で説明される技法は、同期動作または非同期動作のいずれにも使用され得る。
【００５３】
[0069]ＵＥ１１５は、ワイヤレス通信システム１００全体にわたって分散されてよく、各ＵＥ１１５は固定式または移動式であり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラもしくは他のＷＷＡＮアクセスネットワーク、またはＷＬＡＮアクセスネットワークなどの異なるアクセスネットワーク上で通信することが可能であり得る。
【００５４】
[0070]ワイヤレス通信システム１００において示された通信リンク１２５は、（たとえば、ＵＥ１１５からｅＮＢ１０５または１３５への）アップリンク（ＵＬ）送信を搬送するためのアップリンク、または（たとえば、ｅＮＢ１０５または１３５からＵＥ１１５への）ダウンリンク（ＤＬ）送信を搬送するためのダウンリンクを含み得る。ＵＬ送信は逆方向リンク送信と呼ばれることもあり、ＤＬ送信は順方向リンク送信と呼ばれることもある。いくつかの場合、ＵＬまたはＤＬ送信は、ＭＩＭＯ通信（たとえば、空間的に多重化された通信）を使用して行われ得る。
【００５５】
[0071]上で述べられたように、ＵＥ１１５は、同時に複数のｅＮＢ１０５に接続することができる。多重接続（たとえば、マルチフロー）構成では、ＵＥ１１５が接続するｅＮＢ１０５の各々は、ＵＥ１１５とそのｅＮＢ１０５との間のアップリンク送信とダウンリンク送信を独立にスケジューリングすることができる。ＵＥ１１５がＵＥ１１５に対する有効な最大送信電力を超えるのを防ぐために、ｅＮＢ１０５は、ＵＥ１１５が現在接続されているｅＮＢの間のアップリンク送信電力の割振り（たとえば、電力の割振り、アップリンク送信電力の百分率のような百分率による割振りなど）を決定するために互いに通信することができる。この割振りは、ｅＮＢ１０５の１つまたは複数によってＵＥ１１５にシグナリングされてよく、時間とともに変化し得る。受信された割振りに従ってアップリンク上で送信することによって、ＵＥ１１５は、ｅＮＢ１０５によって設定される最大送信電力を超えるのを防がれ得る。
【００５６】
[0072]図２は、本開示の様々な態様による、ワイヤレス通信システム２００のブロック図を示す。ワイヤレス通信システム２００は、ＵＥ１１５−ａと、第１のｅＮＢ１０５−ａと、第２のｅＮＢ１３５−ａとを含み得る。ＵＥ１１５−ａ、第１のｅＮＢ１０５−ａ、または第２のｅＮＢ１３５−ａは、図１に関して説明されたＵＥ１１５、ｅＮＢ１０５、またはｅＮＢ１３５の態様のそれぞれの例であり得る。いくつかの例では、第１のｅＮＢ１０５−ａはマスタｅＮＢ（ＭｅＮＢ）を含んでよく、第２のｅＮＢ１３５−ａはセカンダリｅＮＢ（ＳｅＮＢ）を含んでよい。
【００５７】
[0073]１つの動作モードでは、第１のｅＮＢ１０５−ａはＵＥ１１５−ａのための多重接続通信を協調させることができ、この多重接続通信において、ＵＥ１１５−ａは、通信リンク（または複数のリンク）１２５−ａを通じて第１のｅＮＢ１０５−ａの１つまたは複数のセル（たとえば、第１のｅＮＢ１０５−ａによって管理されるマスタセルグループ（ＭＣＧ））と通信し、通信リンク（または複数のリンク）１２５−ｂを通じて第２のｅＮＢ１３５−ａ（たとえば、第２のｅＮＢ１３５−ａによって管理されるセカンダリセルグループ（ＳＣＧ））の１つまたは複数のセルと通信することができる。第１のｅＮＢ１０５−ａおよび第２のｅＮＢ１３５−ａは、Ｘ２インターフェースを実装するバックホールリンクのような、非理想的なバックホールリンク１３４−ａを通じてフィードバック情報を送信することができる。
【００５８】
[0074]第１のｅＮＢ１０５−ａおよび第２のｅＮＢ１３５−ａは、協調なしで、または非常に緩やかな協調とともに、異なる媒体アクセス制御（ＭＡＣ）エンティティを利用することができる。
【００５９】
[0075]ワイヤレス通信システム２００では、第１のｅＮＢ１０５−ａおよび第２のｅＮＢ１３５−ａによって要求されるＵＥ１１５−ａの総アップリンク送信電力がＵＥ１１５−ａの利用可能なアップリンク送信電力を超える、競争の条件が生じ得る。そのような競争の条件は、ＵＥの性能に悪影響を与え得る。したがって、第１のｅＮＢ１０５−ａと第２のｅＮＢ１３５−ａとの間に（または３つ以上のｅＮＢ間に）ＵＥの利用可能なアップリンク送信電力を割り振るための技法が有用であり得る。この技法は、電力ヘッドルームの報告を多重接続環境に適合させることができる。
【００６０】
[0076]ここで図３を見ると、本開示の様々な態様による、ＵＥ１１５−ｂ、第１のｅＮＢ１０５−ｂ、および少なくとも第２のｅＮＢ１３５−ｂの間のメッセージの流れ３００が示されている。ＵＥ１１５−ｂ、第１のｅＮＢ１０５−ｂ、または第２のｅＮＢ１３５−ｂの各々は、図１または図２に関して説明されたＵＥ１１５、第１のｅＮＢ１０５、または第２のｅＮＢ１３５のそれぞれの１つの態様の例であり得る。いくつかの場合、第１のｅＮＢ１０５−ｂはマスタｅＮＢを含んでよく、第２のｅＮＢ１３５−ｂはセカンダリｅＮＢを含んでよい。
【００６１】
[0077]メッセージの流れ３００の以下の説明では、ＵＥ１１５−ｂ、第１のｅＮＢ１０５−ｂ、または第２のｅＮＢ１３５−ｂの間のメッセージは、示される例示的な順序とは異なる順序で送信されてよく、または、ＵＥ１１５−ｂ、第１のｅＮＢ１０５−ｂ、または第２のｅＮＢ１３５−ｂによって実行される動作は、異なる順序で、または異なる時間に実行され得る。いくつかのメッセージもしくは動作がメッセージの流れ３００から省かれてもよく、または他のメッセージもしくは動作がメッセージの流れ３００に追加されてよい。
【００６２】
[0078]メッセージの流れ３００は、ＵＥ１１５−ｂが第１のｅＮＢ１０５−ｂとの接続３０５と第２のｅＮＢ１３５−ｂとの接続３１５とを確立することで開始し得る。第１のｅＮＢ１０５−ｂおよび第２のｅＮＢ１３５−ｂの各々は、それぞれのアップリンク通信のために無線リソースをＵＥ１１５−ｂに提供することができる。第１のｅＮＢ１０５−ｂおよび第２のｅＮＢ１３５−ｂの各々はまた、それぞれのダウンリンク通信のために無線リソースをＵＥ１１５−ｂに提供することができる。ブロック３１０において、第１のｅＮＢ１０５−ｂは、第１のｅＮＢ１０５−ｂおよび第２のｅＮＢ１３５−ｂとのＵＥ１１５−ｂのための多重接続通信を協調させるために使用され得る。ＵＥ１１５−ｂのための多重接続通信を協調させる際に第１のｅＮＢ１０５−ｂを支援するために、第１のｅＮＢ１０５−ｂは、第２のｅＮＢ１３５−ｂとのバックホール通信３２０を送信または受信することができる。いくつかの例では、第１のｅＮＢ１０５−ｂおよび第２のｅＮＢ１３５−ｂは、異なるキャリアを使用してＵＥ１１５−ｂと通信することができるので、バックホール通信３２０は、非理想的なバックホールリンク（たとえば、Ｘ２インターフェースを実装するバックホールリンク）によって送信または受信され得る。
【００６３】
[0079]ブロック３２５において、第１のｅＮＢ１０５−ｂは、ＵＥ１１５−ｂのための第１のｅＮＢ１０５−ｂと少なくとも第２のｅＮＢ１３５−ｂとの間へのアップリンク送信電力の割振り（たとえば、電力の割振り、アップリンク送信電力の百分率のような百分率による割振りなど）を決定することができる。いくつかの場合、アップリンク送信電力は最大アップリンク送信電力であり得る。
【００６４】
[0080]ブロック３２５において決定を行うと、第１のｅＮＢ１０５−ｂは、第１のｅＮＢ１０５−ｂと少なくとも第２のｅＮＢ１３５−ｂとの間へのアップリンク送信電力の割振りの指示３３０をＵＥ１１５−ｂに送信することができる。いくつかの場合、指示３３５は第２のｅＮＢ１３５−ｂにも送信され得る。いくつかの場合、アップリンク送信電力の割振りの指示３３０、３３５は、第１のｅＮＢ１０５−ｂおよび少なくとも第２のｅＮＢ１３５−ｂの各々に割り振られる、最大アップリンク送信電力の指示、または最大アップリンク送信電力の百分率を含み得る。
【００６５】
[0081]第１のｅＮＢ１０５−ｂまたは第２のｅＮＢ１３５−ｂがＴＤＤモードで動作するときのような、いくつかの例では、第１のｅＮＢ１０５−ｂと少なくとも第２のｅＮＢ１３５−ｂへのアップリンク送信電力の割振りの指示３３０は、第１のｅＮＢ１０５−ｂまたは第２のｅＮＢ１３５−ｂのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥ１１５−ｂが利用可能な総アップリンク送信電力のうちのより多くが、ＵＥ１１５−ｂがその時間期間の間に通信し得る別のｅＮＢへ割り振られ得る。逆に、ｅＮＢによって使用されるアクティブなアップリンクキャリアの数が特定の時間期間の間により多いとき、その時間期間の間にＵＥ１１５−ｂが利用可能な総アップリンク送信電力のうちのより多くが、そのｅＮＢに割り振られ得る。
【００６６】
[0082]いくつかの例では、第１のｅＮＢ１０５−ｂと少なくとも第２のｅＮＢ１３５−ｂとの間へのアップリンク送信電力の割振りの指示３３０は、実質的にすべての送信電力が第１のｅＮＢ１０５−ｂまたは第２のｅＮＢ１３５−ｂに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【００６７】
[0083]いくつかの場合、指示３３０は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。したがって、いくつかの例では、指示３３０は、時間インデックスによってパラメータ化される値のセットを含み得る。
【００６８】
[0084]ブロック３４０において、いくつかの変形では、ＵＥ１１５−ｂは、第１のｅＮＢ１０５−ｂと少なくとも第２のｅＮＢ１３５−ｂとの間へのアップリンク送信電力の割振りの指示３３０に基づいて、第１のｅＮＢ１０５−ｂまたは第２のｅＮＢ１３５−ｂの複数のセルの間へのアップリンク送信電力の割振りを決定することができる。いくつかの場合、複数のセルの間のアップリンク送信電力の割振りは、指示３３０において準静的に指定され得る（たとえば、第１のｅＮＢ１０５−ｂは、各セルのためのアップリンク送信電力値を指定または設定することができ、このアップリンク送信電力値は、第１のｅＮＢ１０５−ｂと少なくとも第２のｅＮＢ１３５−ｂへのアップリンク送信電力の割振りの調整された指示をＵＥが第１のｅＮＢ１０５−ｂから受信するまで、ＵＥによって使用され得る）。他の場合には、複数のセルの間へのアップリンク送信電力の割振りは、指示において時間インデックスごとに準静的に指定され得る（たとえば、第１のｅＮＢ１０５−ｂは、各セル、各時間インデックスに対して、複数のアップリンク送信電力値を指定または設定することができ、このアップリンク送信電力値は、第１のｅＮＢ１０５−ｂと少なくとも第２のｅＮＢ１３５−ｂとの間へのアップリンク送信電力の割振りを含む調整された指示をＵＥ１１５−ｂが第１のｅＮＢ１０５−ｂから受信するまで、ＵＥ１１５−ｂによって使用され得る）。
【００６９】
[0085]ブロック３４０において、第１のｅＮＢ１０５−ｂと少なくとも第２のｅＮＢ１３５−ｂとの間へのアップリンク送信電力の割振りの指示３３０は、第１のｅＮＢ１０５−ｂとの通信および第２のｅＮＢ１３５−ｂとの通信への総送信電力の割振りを含み得る。これらの例では、ＵＥ１１５−ｂは、ＵＥ１１５−ｂにおいて、第１のｅＮＢ１０５−ｂと少なくとも第２のｅＮＢ１３５−ｂとの間へのアップリンク送信電力の割振りの指示に基づいて、第１のｅＮＢ１０５−ｂまたは第２のｅＮＢ１３５−ｂによって制御される複数のセルの各々のアップリンク送信電力を決定することができる。いくつかの場合、セルごとのアップリンク送信電力（たとえば、セルごとの最大アップリンク送信電力）は、ＵＥ１１５−ｂにおいて動的に調整され得る。
【００７０】
[0086]ブロック３４５において、第１のｅＮＢ１０５−ｂは、ＵＥ１１５−ｂと第１のｅＮＢ１０５−ｂとの間のアップリンク通信を含む通信をスケジューリングすることができる。ブロック３５０において、第２のｅＮＢ１３５−ｂは、ＵＥ１１５−ｂと第２のｅＮＢ１３５−ｂとの間のアップリンク通信を含む通信を独立にスケジューリングすることができる。スケジューリング情報３５５または３６０を受信すると、ＵＥ１１５−ｂは、ＵＥ１１５−ｂのための第１のｅＮＢ１０５−ｂおよび少なくとも第２のｅＮＢ１３５−ｂとの間へのアップリンク送信電力の割振りの指示３３０に基づいて、アップリンク通信３６５を第１のｅＮＢ１０５−ｂに送信し、アップリンク通信３７０を第２のｅＮＢ１３５−ｂに送信することができる。
【００７１】
[0087]図４は、本開示の様々な態様による、ＵＥ１１５−ｃ、第１のｅＮＢ１０５−ｃ、および少なくとも第２のｅＮＢ１３５−ｃの間のメッセージの流れ４００を示す。ＵＥ１１５−ｃ、第１のｅＮＢ１０５−ｃ、または第２のｅＮＢ１３５−ｃの各々は、図１、図２、または図３に関して説明されたＵＥ１１５、第１のｅＮＢ１０５、または第２のｅＮＢ１３５のそれぞれの１つの態様の例であり得る。いくつかの場合、第１のｅＮＢ１０５−ｃはマスタｅＮＢを含んでよく、第２のｅＮＢ１３５−ｃはセカンダリｅＮＢを含んでよい。
【００７２】
[0088]メッセージの流れ４００の以下の説明では、ＵＥ１１５−ｃ、第１のｅＮＢ１０５−ｃ、または第２のｅＮＢ１３５−ｃの間のメッセージは、示される例示的な順序とは異なる順序で送信されてよく、または、ＵＥ１１５−ｃ、第１のｅＮＢ１０５−ｃ、または第２のｅＮＢ１３５−ｃによって実行される動作は、異なる順序で、または異なる時間に実行され得る。いくつかのメッセージもしくは動作がメッセージの流れ４００から省かれてもよく、または他のメッセージもしくは動作がメッセージの流れ４００に追加されてよい。
【００７３】
[0089]メッセージの流れ４００は、ＵＥ１１５−ｃが第１のｅＮＢ１０５−ｃとの接続４０５と第２のｅＮＢ１３５−ｃとの接続４１５とを確立したことで開始し得る。第１のｅＮＢ１０５−ｃおよび第２のｅＮＢ１３５−ｃの各々は、それぞれのアップリンク通信のために無線リソースをＵＥ１１５−ｃに提供することができる。第１のｅＮＢ１０５−ｃおよび第２のｅＮＢ１３５−ｃの各々はまた、それぞれのダウンリンク通信のために無線リソースをＵＥ１１５−ｃに提供することができる。ブロック４１０において、第１のｅＮＢ１０５−ｃは、第１のｅＮＢ１０５−ｃおよび第２のｅＮＢ１３５−ｃとのＵＥ１１５−ｃのための多重接続通信を協調させるために使用され得る。ＵＥ１１５−ｃのための多重接続通信を協調させる際に第１のｅＮＢ１０５−ｃを支援するために、第１のｅＮＢ１０５−ｃは、第２のｅＮＢ１３５−ｃとのバックホール通信４２０を送信または受信することができる。いくつかの例では、第１のｅＮＢ１０５−ｃおよび第２のｅＮＢ１３５−ｃは、異なるキャリアを使用してＵＥ１１５−ｃと通信することができるので、バックホール通信４２０は、非理想的なバックホールリンク（たとえば、Ｘ２インターフェースを実装するバックホールリンク）によって送信または受信され得る。
【００７４】
[0090]アップリンク通信を第１のｅＮＢ１０５−ｃおよび第２のｅＮＢ１３５−ｃに送信するとき、ＵＥ１１５−ｃは、ＵＥ１１５−ｃのための第１のｅＮＢ１０５−ｃと少なくとも第２のｅＮＢ１３５−ｃとの間へのアップリンク送信電力の割振りの指示に基づいて、アップリンク通信を送信することができる。この指示は、第１のｅＮＢ１０５−ｃによってＵＥ１１５−ｃに提供され得る。
【００７５】
[0091]ブロック４２５において、第１のｅＮＢ１０５−ｃは、ＵＥ１１５−ｃと第１のｅＮＢ１０５−ｃとの間のアップリンク通信を含む通信をスケジューリングすることができる。ブロック４３０において、第２のｅＮＢ１３５−ｃは、ＵＥ１１５−ｃと第２のｅＮＢ１３５−ｃとの間のアップリンク通信を含む通信を独立にスケジューリングすることができる。スケジューリング情報４３５または４４０を受信すると、ＵＥ１１５−ｃは、ＵＥ１１５−ｃのための第１のｅＮＢ１０５−ｃおよび少なくとも第２のｅＮＢ１３５−ｃとの間へのアップリンク送信電力の割振りの現在の指示に基づいて、アップリンク通信を第１のｅＮＢ１０５−ｃまたは第２のｅＮＢ１３５−ｃに送信することができる。
【００７６】
[0092]ブロック４４５において、ＵＥ１１５−ｃは、ｅＮＢ（たとえば、第１のｅＮＢ１０５−ｃまたは第２のｅＮＢ１３５−ｃ）のための電力ヘッドルーム報告を生成することができる。電力ヘッドルーム報告の生成は、ｅＮＢ（たとえば、第１のｅＮＢ１０５−ｃまたは第２のｅＮＢ１３５−ｃ）または近隣のｅＮＢ（たとえば、電力ヘッドルーム報告がトリガされるｅＮＢ以外のｅＮＢ）の条件に基づいて、そのｅＮＢのためにトリガされ得る。例として、ｅＮＢまたは近隣のｅＮＢの条件は、ｅＮＢまたは近隣のｅＮＢのためのＵＥ１１５−ｃのアップリンク送信電力が閾値を通過したという決定であり得る。いくつかの場合、閾値はｅＮＢに対する最大アップリンク電力を含み得る。さらなる例として、ｅＮＢまたは近隣のｅＮＢの条件は、ｅＮＢまたは近隣のｅＮＢの測定された経路損失（たとえば、閾値を満たす経路損失の変動）であり得る。またさらなる例として、ｅＮＢまたは近隣のｅＮＢの条件は、ｅＮＢまたは近隣のｅＮＢがアップリンクセルをアクティブ化したという決定であり得る。
【００７７】
[0093]電力ヘッドルーム報告は、第１のｅＮＢ１０５−ｃと第２のｅＮＢ１３５−ｃの両方に対する電力ヘッドルーム情報を含み得る。代替的に、電力ヘッドルーム情報は、電力ヘッドルーム報告をトリガしたｅＮＢ１３５だけのためのものであり得る。第１のｅＮＢ１０５−ｃと第２のｅＮＢ１３５−ｃの両方に対する電力ヘッドルーム情報を含むことで、電力ヘッドルーム報告のオーバーヘッドが減り、ｅＮＢがＵＥ１１５−ｃによって使用される総アップリンク送信電力を推定することが可能になり得る。いくつかの例では、電力ヘッドルーム情報は次のようにセルごとに計算され得る。
【００７８】
【数１】
2020061740.tif 000003
【００７９】
ここでＰＨ（ｃｅｌｌ）はセルの電力ヘッドルームであり、ＭａｘＰｏｗｅｒ（ｃｅｌｌ）はセルの最大アップリンク送信電力であり、ＡｃｔｕａｌＴｘＰｏｗｅｒ（ｃｅｌｌ）はセルの現在の実際のアップリンク送信電力である。
【００８０】
[0094]いくつかの場合、電力ヘッドルーム報告は、電力ヘッドルーム報告がトリガされるｅＮＢへ自動的に送信され得る。他の場合、電力ヘッドルーム報告は、ｅＮＢから受信されたトリガメッセージに応答して、電力ヘッドルーム報告がトリガされるｅＮＢへ送信され得る。後者の場合、例として、第１のｅＮＢ１０５−ｃのためにトリガされる電力ヘッドルーム報告４５５は、第１のｅＮＢ１０５−ｃから受信されたトリガメッセージ（たとえば、電力ヘッドルーム要求４５０）に応答して第１のｅＮＢ１０５−ｃへ送信され得る。
【００８１】
[0095]電力ヘッドルーム報告は、第１のｅＮＢ１０５−ｃまたは第２のｅＮＢ１３５−ｃに送信され得る。いくつかの場合、電力ヘッドルーム報告は、電力ヘッドルーム報告がトリガされたｅＮＢへ送信され得る（たとえば、第１のｅＮＢ１０５−ｃのためにトリガされる電力ヘッドルーム報告４５５は、電力ヘッドルーム報告４５５の送信によって示されるように、第１のｅＮＢ１０５−ｃに送信され得る）。他の場合、電力ヘッドルーム報告は、電力ヘッドルーム報告がトリガされたｅＮＢ、さらには近隣のｅＮＢに送信され得る（たとえば、第１のｅＮＢ１０５−ｃのためにトリガされる電力ヘッドルーム報告４５５は、電力ヘッドルーム報告４５５および電力ヘッドルーム報告４５５−ａの送信によって示されるように、第１のｅＮＢ１０５−ｃおよび第２のｅＮＢ１３５−ｂに送信され得る）。後者の場合、ＵＥ１１５−ｃは、いくつかの場合、近隣のｅＮＢへのアップリンク送信のためにＵＥ１１５−ｃにアップリンクリソースが割り振られるという決定に基づいて、電力ヘッドルーム報告を近隣のｅＮＢに送信することができる。いくつかの場合、電力ヘッドルーム報告がトリガされるｅＮＢは、第２のｅＮＢ１３５−ｃから第１のｅＮＢ１０５−ｃへの電力ヘッドルーム報告４５５−ｂの送信によって示されるように、電力ヘッドルーム報告を別のｅＮＢに送信する（たとえば、中継する）ことができる。追加のまたは代替の例では、第１のｅＮＢ１０５−ｃおよび第２のｅＮＢ１３５−ｂは、第１のｅＮＢ１０５−ｃと第２の１３５−ｃとの間のバックホールを通じてＵＥ１１５−ｃから受信される電力ヘッドルーム報告１３５−ｂを交換することができる。
【００８２】
[0096]ブロック４６０において、第１のｅＮＢ１０５−ｃは、ＵＥ１１５−ｃのための第１のｅＮＢ１０５−ｃと第２のｅＮＢ１３５−ｃとの間へのアップリンク送信電力の割振りを調整することができる。割振りは、電力ヘッドルーム報告４５５に基づいて調整され得る。
【００８３】
[0097]ブロック４６０において調整を行うと、第１のｅＮＢ１０５−ｃは、第１のｅＮＢ１０５−ｃと少なくとも第２のｅＮＢ１３５−ｃとの間へのアップリンク送信電力の割振りの指示４６５をＵＥ１１５−ｃに送信することができる。いくつかの場合、指示４７０は第２のｅＮＢ１３５−ｃにも送信され得る。いくつかの場合、アップリンク送信電力の割振りの指示４６５、４７０は、第１のｅＮＢ１０５−ｃおよび少なくとも第２のｅＮＢ１３５−ｃの各々に割り振られる、最大アップリンク送信電力の指示、またはアップリンク送信電力の百分率を含み得る。
【００８４】
[0098]第１のｅＮＢ１０５−ｃまたは第２のｅＮＢ１３５−ｃがＴＤＤモードで動作するとき、第１のｅＮＢ１０５−ｃと少なくとも第２のｅＮＢ１３５−ｃとの間へのアップリンク送信電力の割振りの指示４６５は、第１のｅＮＢ１０５−ｃまたは第２のｅＮＢ１３５−ｃのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥが利用可能な総アップリンク送信電力のうちのより多くが、ＵＥがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥが利用可能な総アップリンク送信電力のうちのより多くが、そのｅＮＢに割り振られ得る。
【００８５】
[0099]第１のｅＮＢ１０５−ｃと少なくとも第２のｅＮＢ１３５−ｃとの間へのアップリンク送信電力の指示４６５は、実質的にすべての送信電力が第１のｅＮＢ１０５−ｃまたは第２のｅＮＢ１３５−ｃに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【００８６】
[0100]いくつかの場合、指示４６５は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【００８７】
[0101]ブロック４７５において、アップリンク送信電力の指示４６５を受信した後で、ＵＥ１１５−ｃは、アップリンク送信電力の指示４６５において第１のｅＮＢ１０５−ｃまたは第２のｅＮＢ１３５−ｃに割り振られるアップリンク送信電力に関して、第１のｅＮＢ１０５−ｃおよび第２のｅＮＢ１３５−ｃのための電力ヘッドルームを決定することができる。
【００８８】
[0102]図５は、本開示の様々な態様による、ＵＥ１１５−ｄ、第１のｅＮＢ１０５−ｄ、および少なくとも第２のｅＮＢ１３５−ｄの間のメッセージの流れ５００を示す。ＵＥ１１５−ｄ、第１のｅＮＢ１０５−ｄ、または第２のｅＮＢ１３５−ｄの各々は、図１、図２、図３、または図４に関して説明されたＵＥ１１５、第１のｅＮＢ１０５、または第２のｅＮＢ１３５のそれぞれの１つの態様の例であり得る。いくつかの場合、第１のｅＮＢ１０５−ｄはマスタｅＮＢを含んでよく、第２のｅＮＢ１３５−ｄはセカンダリｅＮＢを含んでよい。
【００８９】
[0103]メッセージの流れ５００の以下の説明では、ＵＥ１１５−ｄ、第１のｅＮＢ１０５−ｄ、または第２のｅＮＢ１３５−ｄの間のメッセージは、示される例示的な順序とは異なる順序で送信されてよく、または、ＵＥ１１５−ｄ、第１のｅＮＢ１０５−ｄ、または第２のｅＮＢ１３５−ｄによって実行される動作は、異なる順序で、または異なる時間に実行されてよい。いくつかのメッセージもしくは動作がメッセージの流れ５００から省かれてもよく、または他のメッセージもしくは動作がメッセージの流れ５００に追加されてよい。
【００９０】
[0104]メッセージの流れ５００は、ＵＥ１１５−ｄが第１のｅＮＢ１０５−ｄとの接続５０５と第２のｅＮＢ１３５−ｄとの接続５１５とを確立したことで開始し得る。第１のｅＮＢ１０５−ｄおよび第２のｅＮＢ１３５−ｄの各々は、それぞれのアップリンク通信のために無線リソースをＵＥ１１５−ｄに提供することができる。第１のｅＮＢ１０５−ｄおよび第２のｅＮＢ１３５−ｄの各々はまた、それぞれのダウンリンク通信のために無線リソースをＵＥ１１５−ｄに提供することができる。ブロック５１０において、第１のｅＮＢ１０５−ｄは、第１のｅＮＢ１０５−ｄおよび第２のｅＮＢ１３５−ｄとのＵＥ１１５−ｄのための多重接続通信を協調させるために使用され得る。ＵＥ１１５−ｄのための多重接続通信を協調させる際に第１のｅＮＢ１０５−ｄを支援するために、第１のｅＮＢ１０５−ｄは、第２のｅＮＢ１３５−ｄとの通信５２０を送信または受信することができる。いくつかの例では、第１のｅＮＢ１０５−ｄおよび第２のｅＮＢ１３５−ｄは、異なるキャリアを使用してＵＥ１１５−ｄと通信することができるので、通信５２０は、非理想的なバックホールリンク（たとえば、Ｘ２インターフェースを実装するバックホールリンク）によって送信または受信され得る。
【００９１】
[0105]アップリンク通信を第１のｅＮＢ１０５−ｄおよび第２のｅＮＢ１３５−ｄに送信するとき、ＵＥ１１５−ｄは、ＵＥ１１５−ｄのための第１のｅＮＢ１０５−ｄと少なくとも第２のｅＮＢ１３５−ｄとの間へのアップリンク送信電力の割振りの指示に基づいて、アップリンク通信を送信することができる。この指示は、第１のｅＮＢ１０５−ｄによってＵＥ１１５−ｄに提供され得る。
【００９２】
[0106]ブロック５２５において、ＵＥ１１５−ｄは、第１のｅＮＢ１０５−ｄと第２のｅＮＢ１３５−ｄとの間へのアップリンク送信電力の割振り（またはセルへのアップリンク送信電力の割振り）を修正することができる。いくつかの場合、ＵＥ１１５−ｄは、あるｅＮＢまたはセルに割り振られているアップリンク送信電力を借り、借りたアップリンク送信電力を別のｅＮＢまたはセルに割り振り直すことによって、アップリンク送信電力の割振りを修正することができる。いくつかの場合、アップリンク送信電力の割振りの修正は、ｅＮＢの一方（たとえば、第１のｅＮＢ１０５−ｄまたは第２のｅＮＢ１３５−ｄ）のためのアップリンクデータまたは制御情報の、ｅＮＢの他方に対する優先度に基づき得る。この修正はさらに、または代替的に、セルのためのアップリンクデータまたは制御情報の優先度に基づき得る。この修正はさらに、または代替的に、ｅＮＢまたはセルによるアップリンクの不使用に基づき得る。
【００９３】
[0107]ブロック５３０において、電力ヘッドルーム報告の生成は、第１のｅＮＢ１０５−ｄと第２のｅＮＢ１３５−ｄとの間への（または第１のｅＮＢ１０５−ｄと第２のｅＮＢ１３５−ｄの１つまたは複数のセルの間への）アップリンク送信電力の割振りの修正に基づいてトリガされ得る。いくつかの場合、電力ヘッドルーム報告は、第１のｅＮＢ１０５−ｄまたは第２のｅＮＢ１３５−ｄの１つのアップリンク送信電力がそのｅＮＢに割り振られている最大送信電力を超えたという指示を含み得る。
【００９４】
[0108]電力ヘッドルーム報告は、第１のｅＮＢ１０５−ｄと第２のｅＮＢ１３５−ｄの両方のための電力ヘッドルーム情報を含み得る。第１のｅＮＢ１０５−ｄと第２のｅＮＢ１３５−ｄの両方に対する電力ヘッドルーム情報を含むことで、電力ヘッドルーム報告のオーバーヘッドが減り、ｅＮＢがＵＥ１１５−ｅによって使用される総アップリンク送信電力を推定することが可能になり得る。いくつかの例では、電力ヘッドルーム情報は式１を使用して計算され得る。
【００９５】
[0109]電力ヘッドルーム報告５３５は、第１のｅＮＢ１０５−ｄまたは第２のｅＮＢ１３５−ｄに送信され得る。いくつかの場合、電力ヘッドルーム報告は、アップリンク送信電力の割振りの修正の間に電力を受け取ったｅＮＢに送信され得る。そのような電力ヘッドルーム報告は、負の電力ヘッドルーム情報を含み得る。他の場合、電力ヘッドルーム報告は、アップリンク送信電力の割振りの修正の間に電力がそこから借用される、ｅＮＢへ送信され得る。後者の電力ヘッドルーム報告は、ｅＮＢまたはセルに対する設定された最大電力から、借用される電力を差し引き得る。セルごとの電力ヘッドルーム情報の場合、電力ヘッドルーム情報は次のように計算され得る。
【００９６】
【数２】
2020061740.tif 000004
【００９７】
ここでＢｏｒｒｏｗｅｄＰｏｗｅｒ（ｃｅｌｌ）は、セルから借用される電力である。
【００９８】
[0110]ブロック５４０において、第１のｅＮＢ１０５−ｄは、ＵＥ１１５−ｄのための第１のｅＮＢ１０５−ｄと第２のｅＮＢ１３５−ｄとの間へのアップリンク送信電力の割振りを調整することができる。割振りは、電力ヘッドルーム報告５３５に基づいて調整され得る。
【００９９】
[0111]ブロック５４０において調整を行うと、第１のｅＮＢ１０５−ｄは、第１のｅＮＢ１０５−ｄと少なくとも第２のｅＮＢ１３５−ｄとの間へのアップリンク送信電力の割振りの指示５４５をＵＥ１１５−ｄに送信することができる。いくつかの場合、指示５５０は第２のｅＮＢ１３５−ｄにも送信され得る。いくつかの場合、アップリンク送信電力の割振りの指示５４５、５５０は、第１のｅＮＢ１０５−ｄおよび少なくとも第２のｅＮＢ１３５−ｄの各々に割り振られる、最大アップリンク送信電力の指示を含み得る。
【０１００】
[0112]第１のｅＮＢ１０５−ｄまたは第２のｅＮＢ１３５−ｄがＴＤＤモードで動作するときのような、いくつかの例では、第１のｅＮＢ１０５−ｄと少なくとも第２のｅＮＢ１３５−ｄとの間へのアップリンク送信電力の指示５４５は、第１のｅＮＢ１０５−ｄまたは第２のｅＮＢ１３５−ｄのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥ１１５−ｄが利用可能な総アップリンク送信電力のうちのより多くが、ＵＥ１１５−ｄがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥ１１５−ｄが利用可能な総アップリンク送信電力のうちのより多くが、そのｅＮＢに割り振られ得る。
【０１０１】
[0113]いくつかの例では、第１のｅＮＢ１０５−ｄと少なくとも第２のｅＮＢ１３５−ｄとの間へのアップリンク送信電力の割振りの指示５４５は、実質的にすべての送信電力が第１のｅＮＢ１０５−ｄまたは第２のｅＮＢ１３５−ｄに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【０１０２】
[0114]いくつかの場合、指示５４５は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【０１０３】
[0115]ブロック５５５において、アップリンク送信電力の指示５４５を受信した後で、ＵＥ１１５−ｄは、アップリンク送信電力の指示５４５において第１のｅＮＢ１０５−ｄまたは第２のｅＮＢ１３５−ｄに割り振られるアップリンク送信電力に関して、第１のｅＮＢ１０５−ｄおよび第２のｅＮＢ１３５−ｄのための電力ヘッドルームを決定することができる。
【０１０４】
[0116]次に図６を参照すると、ブロック図６００は、本開示の様々な態様による、ワイヤレス通信に使用可能なデバイス６０５の例を示す。デバイス６０５は、図１、図２、図３、図４、または図５に関して説明されたＵＥ１１５、第１のｅＮＢ１０５、または第２のｅＮＢ１３５の１つの、１つまたは複数の態様の例であり得る。デバイス６０５はまた、プロセッサであり得る。デバイス６０５は、受信機モジュール６１０と、ワイヤレス通信管理モジュール６２０と、送信機モジュール６３０とを含み得る。これらのコンポーネントの各々は、互いに通信していることがある。
【０１０５】
[0117]デバイス６０５のコンポーネントは、ハードウェア中で適用可能な機能の一部またはすべてを実行するように適応された１つまたは複数の特定用途向け集積回路（ＡＳＩＣ）によって、個別にまたは集合的に実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１０６】
[0118]受信機モジュール６１０は、任意の数の受信機を含み得る。場合によっては、受信機モジュール６１０は、セルラ受信機を含み得る。いくつかの場合には、セルラ受信機は、ＬＴＥ／ＬＴＥ−Ａ受信機であり得る。セルラ受信機は、総称的に送信と呼ばれる様々なタイプのデータまたは制御信号を受信するために使用され得る。送信は、図１または図２に関して説明された、ワイヤレス通信システム１００または２００などのワイヤレス通信システムの１つまたは複数の通信チャネルを通じて受信され得る。いくつかの場合には、受信機モジュール６１０は、イーサネット（登録商標）またはＷＬＡＮ受信機のような、代替または追加のタイプの受信機を含み得る。イーサネットまたはＷＬＡＮ受信機は、様々なタイプのデータまたは制御信号を受信するために使用されてもよく、ワイヤレス通信システム１００または２００のような、ワイヤレス通信システムの１つまたは複数の通信チャネルを通じて送信を受信することもできる。
【０１０７】
[0119]送信機モジュール６３０は、任意の数の送信機を含み得る。いくつかの場合、送信機モジュール６３０は、セルラ送信機を含み得る。いくつかの場合には、セルラ送信機は、ＬＴＥ／ＬＴＥ−Ａ送信機であり得る。セルラ送信機は、総称的に送信と呼ばれる様々なタイプのデータまたは制御信号を送信するために使用され得る。送信は、ワイヤレス通信システム１００または２００のようなワイヤレス通信システムの１つまたは複数の通信チャネルを通じて送信され得る。いくつかの場合には、送信機モジュール６３０は、イーサネットまたはＷＬＡＮ送信機のような、代替または追加のタイプの送信機を含み得る。また、イーサネットまたはＷＬＡＮ送信機は、様々なタイプのデータまたは制御信号を送信するために使用されてよく、また、ワイヤレス通信システム１００または２００のようなワイヤレス通信システムの１つまたは複数の通信チャネルを通じて送信してよい。
【０１０８】
[0120]ワイヤレス通信管理モジュール６２０は、様々な機能を実行し得る。デバイス６０５がＵＥ１１５として構成され得るデバイス６０５の例では、ワイヤレス通信管理モジュール６２０は、第１のｅＮＢ１０５および少なくとも１つの第２のｅＮＢ１３５との多重接続通信を管理するために使用され得る。ワイヤレス通信管理モジュール６２０はまた、第１のｅＮＢ１０５と少なくとも１つの第２のｅＮＢ１３５との間へのアップリンク送信電力の割振りを管理するために使用され得る。
【０１０９】
[0121]デバイス６０５が第１のｅＮＢ１０５として構成され得るデバイス６０５の例では、ワイヤレス通信管理モジュール６２０は、デバイス６０５および少なくとも１つの第２のｅＮＢ１３５と通信するＵＥ１１５のための多重接続通信を管理するために使用され得る。ワイヤレス通信管理モジュール６２０はまた、デバイス６０５と少なくとも１つの第２のｅＮＢ１３５との間へアップリンク送信電力を割り振るために使用され得る。
【０１１０】
[0122]デバイス６０５が第２のｅＮＢ１３５として構成され得るデバイス６０５の例では、ワイヤレス通信管理モジュール６２０は、第１のｅＮＢ１０５、デバイス６０５、および場合によっては１つまたは複数の他の第２のｅＮＢ１３５と通信するＵＥ１１５のための多重接続通信を管理するために使用され得る。ワイヤレス通信管理モジュール６２０はまた、第１のｅＮＢ１０５、デバイス６０５、および場合によっては１つまたは複数の他の第２のｅＮＢ１３５との間へのアップリンク送信電力の割振りを支援するために使用され得る。
【０１１１】
[0123]次に図７を参照すると、ブロック図７００は、本開示の様々な態様による、ワイヤレス通信に使用可能なデバイス６０５−ａの例を示す。デバイス６０５−ａは、図１、図２、図３、図４、図５、または図６に関して説明されたような、ＵＥとして構成されるＵＥ１１５またはデバイス６０５の１つの、１つまたは複数の態様の例であり得る。デバイス６０５−ａはまた、プロセッサであり得る。デバイス６０５−ａは、受信機モジュール６１０、ワイヤレス通信管理モジュール６２０−ａ、または送信機モジュール６３０を含み得る。これらのコンポーネントの各々は、互いに通信していることがある。
【０１１２】
[0124]デバイス６０５−ａのコンポーネントは、適用可能な機能の一部またはすべてをハードウェアで実行するように適応された１つまたは複数のＡＳＩＣによって、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１１３】
[0125]受信機モジュール６１０は、図６に関して説明された受信機モジュール６１０と同様に構成され得る。同様に、送信機モジュール６３０は、図６に関して説明された送信機モジュール６３０と同様に構成され得る。
【０１１４】
[0126]ワイヤレス通信管理モジュール６２０−ａは、図６に関して説明されたワイヤレス通信管理モジュール６２０の例であってよく、ｅＮＢ接続管理モジュール７０５と、アップリンク送信電力管理モジュール７１０と、アップリンク通信管理モジュール７１５とを含み得る。
【０１１５】
[0127]ｅＮＢ接続管理モジュール７０５は、第１のｅＮＢおよび第２のｅＮＢとの接続を確立するために使用され得る。第１のｅＮＢおよび第２のｅＮＢの各々は、それぞれのアップリンク通信のために無線リソースをＵＥに提供することができる。第１のｅＮＢおよび第２のｅＮＢの各々はまた、それぞれのダウンリンク通信のために無線リソースをＵＥ１１５−ｂに提供することができる。いくつかの場合、第１のｅＮＢは、図１、図２、図３、図４、図５、または図６に関して説明されたような、第１のｅＮＢとして構成される第１のｅＮＢ１０５またはデバイス６０５の１つの、１つまたは複数の態様の例であり得る。いくつかの場合、第２のｅＮＢは、図１、図２、図３、図４、図５、または図６に関して説明されたような、第２のｅＮＢとして構成される第２のｅＮＢ１３５またはデバイス６０５の１つの、１つまたは複数の態様の例であり得る。いくつかの場合、第１のｅＮＢはマスタｅＮＢを含んでよく、第２のｅＮＢはセカンダリｅＮＢを含んでよい。
【０１１６】
[0128]アップリンク送信電力管理モジュール７１０は、デバイス６０５−ａにおいて、第１のｅＮＢと少なくとも第２のｅＮＢとの間へのアップリンク送信電力の割振りを含む指示を第１のｅＮＢから受信するために使用され得る。いくつかの場合、アップリンク送信電力は、最大アップリンク送信電力であり得る。
【０１１７】
[0129]第１のｅＮＢまたは第２のｅＮＢがＴＤＤモードで動作するとき、第１のｅＮＢと少なくとも第２のｅＮＢとの間へのアップリンク送信電力の割振りを含む指示は、第１のｅＮＢまたは第２のｅＮＢのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥが利用可能な総アップリンク送信電力のうちのより多くが、ＵＥがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥが利用可能な総アップリンク送信電力のうちのより多くが、そのｅＮＢに割り振られ得る。
【０１１８】
[0130]いくつかの例では、第１のｅＮＢと少なくとも第２のｅＮＢとの間へのアップリンク送信電力の割振りを含む指示は、実質的にすべてに送信電力が第１のｅＮＢまたは第２のｅＮＢに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【０１１９】
[0131]いくつかの場合、指示は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【０１２０】
[0132]いくつかの例では、アップリンク送信電力管理モジュール７１０は、第１のｅＮＢと少なくとも第２のｅＮＢとの間へのアップリンク送信電力の割振りを含む指示に基づいて、第１のｅＮＢまたは第２のｅＮＢの複数のセルとの間へのアップリンク送信電力の割振りを決定することができる。いくつかの場合には、複数のセルの間へのアップリンク送信電力の割振りは、指示において準静的に指定され得る（たとえば、第１のｅＮＢは、各セルに対して、アップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。他の場合には、複数のセルの間へのアップリンク送信電力の割振りは、指示において時間インデックスごとに準静的に指定され得る（たとえば、第１のｅＮＢは、各セル、各時間インデックスに対して、複数のアップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。
【０１２１】
[0133]いくつかの例では、第１のｅＮＢと少なくとも第２のｅＮＢへのアップリンク送信電力の割振りを含む指示は、第１のｅＮＢとの通信と第２のｅＮＢとの通信との間への総送信電力の割振り、または送信電力の百分率を含み得る。これらの例では、アップリンク送信電力管理モジュール７１０は、第１のｅＮＢと少なくとも第２のｅＮＢとの間へのアップリンク送信電力の割振りを含む指示に基づいて、第１のｅＮＢまたは第２のｅＮＢによって制御される複数のセルの各々のアップリンク送信電力を決定することができる。いくつかの場合、セルごとのアップリンク送信電力（たとえば、セルごとの最大アップリンク送信電力）は、アップリンク送信電力管理モジュール７１０によって動的に調整され得る。
【０１２２】
[0134]アップリンク通信管理モジュール７１５は、第１のｅＮＢと少なくとも第２のｅＮＢとの間へのアップリンク送信電力の割振りを含む指示に基づいて、デバイス６０５−ａから第１のｅＮＢおよび第２のｅＮＢへアップリンク通信を送信するために使用され得る。
【０１２３】
[0135]次に図８を参照すると、ブロック図８００は、本開示の様々な態様による、ワイヤレス通信に使用可能なデバイス６０５−ｂの例を示す。デバイス６０５−ｂは、図１、図２、図３、図４、図５、図６、または図７に関して説明されたような、ＵＥとして構成されるＵＥ１１５またはデバイス６０５の１つの、１つまたは複数の態様の例であり得る。デバイス６０５−ｂは、プロセッサでもあり得る。デバイス６０５−ｂは、受信機モジュール６１０と、ワイヤレス通信管理モジュール６２０−ｂと、送信機モジュール６３０とを含み得る。これらのコンポーネントの各々は、互いに通信していることがある。
【０１２４】
[0136]デバイス６０５−ｂのコンポーネントは、適用可能な機能の一部またはすべてをハードウェアにおいて実行するように適応された１つまたは複数のＡＳＩＣとともに、個々にまたはまとめて実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１２５】
[0137]受信機モジュール６１０は、図６に関して説明された受信機モジュール６１０と同様に構成され得る。同様に、送信機モジュール６３０は、図６に関して説明された送信機モジュール６３０と同様に構成され得る。
【０１２６】
[0138]ワイヤレス通信管理モジュール６２０−ｂは、図６または図７に関して説明されたワイヤレス通信管理モジュール６２０の例であってよく、ｅＮＢ接続管理モジュール７０５−ａと、アップリンク送信電力管理モジュール７１０−ａと、アップリンク通信管理モジュール７１５−ａと、電力ヘッドルーム報告生成モジュール８０５と、電力ヘッドルーム報告送信モジュール８１０と、アップリンク送信電力修正モジュール８１５とを含み得る。
【０１２７】
[0139]ｅＮＢ接続管理モジュール７０５−ａは、第１のｅＮＢおよび第２のｅＮＢとの接続を確立するために使用され得る。第１のｅＮＢおよび第２のｅＮＢの各々は、それぞれのアップリンク通信のために無線リソースをＵＥに提供することができる。第１のｅＮＢおよび第２のｅＮＢの各々はまた、それぞれのダウンリンク通信のために無線リソースをＵＥ１１５−ｂに提供することができる。いくつかの場合、第１のｅＮＢは、図１、図２、図３、図４、図５、または図６に関して説明されたような、第１のｅＮＢとして構成される第１のｅＮＢ１０５またはデバイス６０５の１つの、１つまたは複数の態様の例であり得る。いくつかの場合、第２のｅＮＢは、図１、図２、図３、図４、図５、または図６に関して説明されたような、第２のｅＮＢとして構成される第２のｅＮＢ１３５またはデバイス６０５の１つの、１つまたは複数の態様の例であり得る。いくつかの場合、第１のｅＮＢはマスタｅＮＢを含んでよく、第２のｅＮＢはセカンダリｅＮＢを含んでよい。
【０１２８】
[0140]アップリンク送信電力管理モジュール７１０−ａは、デバイス６０５−ｂにおいて、第１のｅＮＢと少なくとも第２のｅＮＢとの間へのアップリンク送信電力の割振りを含む指示を第１のｅＮＢから受信するために使用され得る。いくつかの場合、アップリンク送信電力は、最大アップリンク送信電力であり得る。
【０１２９】
[0141]第１のｅＮＢまたは第２のｅＮＢがＴＤＤモードで動作するときのような、いくつかの例では、第１のｅＮＢと少なくとも第２のｅＮＢとの間へのアップリンク送信電力の割振りを含む指示は、第１のｅＮＢまたは第２のｅＮＢのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥが利用可能な総アップリンク送信電力のうちのより多くが、ＵＥがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥが利用可能な総アップリンク送信電力のうちのより多くが、そのｅＮＢに割り振られ得る。
【０１３０】
[0142]いくつかの例では、第１のｅＮＢと少なくとも第２のｅＮＢとの間へのアップリンク送信電力の割振りを含む指示は、実質的にすべてに送信電力が第１のｅＮＢまたは第２のｅＮＢに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【０１３１】
[0143]いくつかの場合、指示は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【０１３２】
[0144]いくつかの例では、アップリンク送信電力管理モジュール７１０−ａは、第１のｅＮＢと少なくとも第２のｅＮＢとの間へのアップリンク送信電力の割振りを含む指示に基づいて、第１のｅＮＢまたは第２のｅＮＢの複数のセルとの間へのアップリンク送信電力の割振りを決定することができる。いくつかの場合には、複数のセルの間へのアップリンク送信電力の割振りは、指示において準静的に指定され得る（たとえば、第１のｅＮＢは、各セルに対して、アップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。他の場合には、複数のセルの間へのアップリンク送信電力の割振りは、指示において時間インデックスごとに準静的に指定され得る（たとえば、第１のｅＮＢは、各セル、各時間インデックスに対して、複数のアップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。
【０１３３】
[0145]いくつかの例では、第１のｅＮＢと少なくとも第２のｅＮＢとの間へのアップリンク送信電力の割振りを含む指示は、第１のｅＮＢとの通信および第２のｅＮＢとの通信への総送信電力の割振り、または総送信電力の百分率を含み得る。これらの例では、アップリンク送信電力管理モジュール７１０−ａは、第１のｅＮＢと少なくとも第２のｅＮＢとの間へのアップリンク送信電力の割振りを含む指示に基づいて、第１のｅＮＢまたは第２のｅＮＢによって制御される複数のセルの各々のアップリンク送信電力を決定することができる。いくつかの場合、セルごとのアップリンク送信電力（たとえば、セルごとの最大アップリンク送信電力）は、アップリンク送信電力管理モジュール７１０−ａによって動的に調整され得る。
【０１３４】
[0146]アップリンク通信管理モジュール７１５−ａは、第１のｅＮＢと少なくとも第２のｅＮＢとの間へのアップリンク送信電力の割振りを含む指示に基づいて、デバイス６０５−ｂから第１のｅＮＢおよび第２のｅＮＢへアップリンク通信を送信するために使用され得る。
【０１３５】
[0147]電力ヘッドルーム報告生成モジュール８０５は、デバイス６０５−ｂにおいて電力ヘッドルーム報告をトリガするために使用され得る。いくつかの例では、電力ヘッドルーム報告生成モジュール８０５は、ｅＮＢ（たとえば、第１のｅＮＢまたは第２のｅＮＢ）または近隣のｅＮＢ（たとえば、電力ヘッドルーム報告がトリガされるｅＮＢ以外のｅＮＢ）の条件に基づいて、そのｅＮＢのための電力ヘッドルーム報告をトリガすることができる。例として、ｅＮＢまたは近隣のｅＮＢの条件は、ｅＮＢまたは近隣のｅＮＢのためのデバイス６０５−ｂのアップリンク送信電力が閾値を通過したという決定であり得る。いくつかの場合、閾値はｅＮＢに対する最大アップリンク電力を含み得る。さらなる例として、ｅＮＢまたは近隣のｅＮＢの条件は、ｅＮＢまたは近隣のｅＮＢの測定された経路損失（たとえば、閾値を満たす経路損失の変動）であり得る。またさらなる例として、ｅＮＢまたは近隣のｅＮＢの条件は、ｅＮＢまたは近隣のｅＮＢがアップリンクセルをアクティブ化したという決定であり得る。
【０１３６】
[0148]電力ヘッドルーム報告生成モジュール８０５はまた、デバイス６０５−ｂにおいて電力ヘッドルーム報告を生成するために使用され得る。電力ヘッドルーム報告は、第１のｅＮＢと第２のｅＮＢの両方のための電力ヘッドルーム情報を含み得る。第１のｅＮＢと第２のｅＮＢの両方に対する電力ヘッドルーム情報を含むことで、電力ヘッドルーム報告のオーバーヘッドが減り、ｅＮＢがデバイス６０５−ｂによって使用される総アップリンク送信電力を推定することが可能になり得る。いくつかの例では、電力ヘッドルーム情報は式１を使用して計算され得る。
【０１３７】
[0149]電力ヘッドルーム報告送信モジュール８１０は、第１のｅＮＢまたは第２のｅＮＢに電力ヘッドルーム報告を送信するために使用され得る。いくつかの例では、電力ヘッドルーム報告は、電力ヘッドルーム報告がトリガされるｅＮＢへ自動的に送信され得る。他の例では、電力ヘッドルーム報告は、ｅＮＢから受信されたトリガメッセージに応答して、電力ヘッドルーム報告がトリガされるｅＮＢへ送信され得る。後者の例では、例として、第１のｅＮＢのためにトリガされる電力ヘッドルーム報告は、第１のｅＮＢから受信されたトリガメッセージに応答して第１のｅＮＢへ送信され得る。
【０１３８】
[0150]いくつかの場合、電力ヘッドルーム報告送信モジュール８１０は、電力ヘッドルーム報告がトリガされたｅＮＢに電力ヘッドルーム報告を送信することができる（たとえば、第１のｅＮＢに対してトリガされる電力ヘッドルーム報告が第１のｅＮＢに送信され得る）。他の場合、電力ヘッドルーム報告送信モジュール８１０は、電力ヘッドルーム報告がトリガされたｅＮＢ、さらには近隣のｅＮＢに電力ヘッドルーム報告を送信することができる（たとえば、第１のｅＮＢに対してトリガされる電力ヘッドルーム報告が第１のｅＮＢおよび第２のｅＮＢに送信され得る）。後者の場合、電力ヘッドルーム報告送信モジュール８１０は、いくつかの場合、近隣のｅＮＢへのアップリンク送信のためにＵＥにアップリンクリソースが割り振られるという決定に基づいて、電力ヘッドルーム報告を近隣のｅＮＢに送信することができる。
【０１３９】
[0151]電力ヘッドルーム報告送信モジュール８１０が電力ヘッドルーム報告をｅＮＢに送信した後で、アップリンク送信電力管理モジュール７１０−ａは、第１のｅＮＢからのアップリンク送信電力の割振りを含む第２の指示を受信するために使用され得る。アップリンク送信電力の割振りを含む第２の指示は、第１のｅＮＢまたは第２のｅＮＢに割り振られたアップリンク送信電力を変更することができる。アップリンク送信電力の割振りを含む第２の指示を受信した後で、電力ヘッドルーム報告生成モジュール８０５は、第２の指示において第１のｅＮＢまたは第２のｅＮＢに割り振られたアップリンク送信電力に関して、第１のｅＮＢおよび第２のｅＮＢのための電力ヘッドルームを決定するために使用され得る。
【０１４０】
[0152]アップリンク送信電力修正モジュール８１５は、第１のｅＮＢと第２のｅＮＢとの間への総アップリンク送信電力の割振り（またはセルへのアップリンク送信電力の割振り）を修正するために、および、可能であり有用であるときには、ＵＥから第１のｅＮＢまたは第２のｅＮＢへアップリンク通信を送信するために使用され得る。いくつかの場合、アップリンク送信電力修正モジュール８１５は、あるｅＮＢまたはセルに割り振られているアップリンク送信電力を借り、借りたアップリンク送信電力を別のｅＮＢまたはセルに割り振り直すことによって、アップリンク送信電力の割振りを修正することができる。いくつかの場合、アップリンク送信電力の割振りの修正は、ｅＮＢの一方（たとえば、第１のｅＮＢまたは第２のｅＮＢ）のためのアップリンクデータまたは制御情報の、ｅＮＢの他方に対する優先度に基づき得る。この修正はさらに、または代替的に、セルのためのアップリンクデータまたは制御情報の優先度に基づき得る。この修正はさらに、または代替的に、ｅＮＢまたはセルによるアップリンクの不使用に基づき得る。
【０１４１】
[0153]第１のｅＮＢと第２のｅＮＢとの間へのアップリンク送信電力の割振りの修正に続いて、電力ヘッドルーム報告が、電力ヘッドルーム報告生成モジュール８０５を使用して生成され得る。電力ヘッドルーム報告は、第１のｅＮＢと第２のｅＮＢの両方のための電力ヘッドルーム情報を含み得る。第１のｅＮＢと第２のｅＮＢの両方に対する電力ヘッドルーム情報を含むことで、電力ヘッドルーム報告のオーバーヘッドが減り、ｅＮＢがデバイス６０５−ｂによって使用される総アップリンク送信電力を推定することが可能になり得る。いくつかの例では、電力ヘッドルーム情報は式１を使用して計算され得る。
【０１４２】
[0154]第１のｅＮＢと第２のｅＮＢとの間へのアップリンク送信電力の割振りの修正によってトリガされる電力ヘッドルーム報告は、第１のｅＮＢまたは第２のｅＮＢに送信され得る。いくつかの場合、電力ヘッドルーム報告送信モジュール８１０は、アップリンク送信電力の割振りの修正の間に電力を受け取ったｅＮＢに電力ヘッドルーム報告を送信することができる。そのような電力ヘッドルーム報告は、負の電力ヘッドルーム情報を含み得る。他の場合、電力ヘッドルーム報告送信モジュール８１０は、アップリンク送信電力の割振りの修正の間にそこから電力が借用されたｅＮＢに電力ヘッドルーム報告を送信することができる。後者の電力ヘッドルーム報告は、ｅＮＢまたはセルに対する設定された最大電力から、借用される電力を差し引き得る。セルごとの電力ヘッドルーム情報の場合、電力ヘッドルーム情報は式２を使用して計算され得る。
【０１４３】
[0155]次に図９を参照すると、ブロック図９００は、本開示の様々な態様による、ワイヤレス通信に使用可能なデバイス６０５−ｃの例を示す。デバイス６０５−ｃは、図１、図２、図３、図４、図５、または図６に関して説明されたような、第１のｅＮＢとして構成される第１のｅＮＢ１０５またはデバイス６０５の１つの、１つまたは複数の態様の例であり得る。デバイス６０５−ｃは、プロセッサでもあり得る。デバイス６０５−ｃは、受信機モジュール６１０と、ワイヤレス通信管理モジュール６２０−ｃと、送信機モジュール６３０とを含み得る。これらのコンポーネントの各々は、互いに通信していることがある。
【０１４４】
[0156]デバイス６０５−ｃのコンポーネントは、適用可能な機能の一部またはすべてをハードウェアにおいて実行するように適応された１つまたは複数のＡＳＩＣとともに、個々にまたは集合的に実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１４５】
[0157]受信機モジュール６１０は、図６に関して説明された受信機モジュール６１０と同様に構成され得る。同様に、送信機モジュール６３０は、図６に関して説明された送信機モジュール６３０と同様に構成され得る。
【０１４６】
[0158]ワイヤレス通信管理モジュール６２０−ｃは、図６に関して説明されたワイヤレス通信管理モジュール６２０の例であってよく、ＵＥ多重接続管理モジュール９０５と、アップリンク送信電力決定モジュール９１０と、アップリンク送信電力通信モジュール９１５とを含み得る。
【０１４７】
[0159]ＵＥ多重接続管理モジュール９０５は、ＵＥのために、少なくともデバイス６０５−ｃおよび第２のｅＮＢとの多重接続通信を協調させるために使用され得る。いくつかの場合、ＵＥは、図１、図２、図３、図４、図５、図６、図７、または図８に関して説明されたような、ＵＥとして構成されるＵＥ１１５またはデバイス６０５の１つの、１つまたは複数の態様の例であり得る。いくつかの場合、第２のｅＮＢは、図１、図２、図３、図４、図５、または図６に関して説明されたような、第２のｅＮＢとして構成される第２のｅＮＢ１３５またはデバイス６０５の１つの、１つまたは複数の態様の例であり得る。いくつかの場合、デバイス６０５−ｃはマスタｅＮＢを含んでよく、第２のｅＮＢはセカンダリｅＮＢを含んでよい。
【０１４８】
[0160]アップリンク送信電力決定モジュール９１０は、ＵＥのために、デバイス６０５−ｃと少なくとも第２のｅＮＢとの間へのアップリンク送信電力の割振りを決定するために使用され得る。いくつかの場合、アップリンク送信電力は、最大アップリンク送信電力であり得る。
【０１４９】
[0161]いくつかの例では、アップリンク送信電力決定モジュール９１０は、デバイス６０５−ｃと少なくとも第２のｅＮＢとの間へのアップリンク送信電力の割振りを含む指示に基づいて、デバイス６０５−ｃの複数のセルの間へのアップリンク送信電力の割振りを決定することができる。いくつかの場合には、複数のセルの間へのアップリンク送信電力の割振りは、指示において準静的に指定され得る（たとえば、デバイス６０５−ｃは、各セルに対して、アップリンク送信電力値を指定または設定することができ、このアップリンク送信電力値は、デバイス６０５−ｃと少なくとも第２のｅＮＢとの間へのアップリンク送信電力の割振りを含む調整された指示をＵＥがデバイス６０５−ｃから受信するまで、ＵＥによって使用され得る）。他の場合には、複数のセルの間へのアップリンク送信電力の割振りは、指示において時間インデックスごとに準静的に指定され得る（たとえば、デバイス６０５−ｃは、各セル、各時間インデックスに対して、複数のアップリンク送信電力値を指定または設定することができ、このアップリンク送信電力値は、デバイス６０５−ｃと少なくとも第２のｅＮＢとの間へのアップリンク送信電力の割振りを含む調整された指示をＵＥがデバイス６０５−ｃから受信するまで、ＵＥによって使用され得る）。
【０１５０】
[0162]アップリンク送信電力通信モジュール９１５は、ＵＥへのアップリンク送信電力割振りの割振りを含む指示を送信するために使用され得る。
【０１５１】
[0163]デバイス６０５−ｃまたは第２のｅＮＢがＴＤＤモードで動作するときのような、いくつかの例では、デバイス６０５−ｃと少なくとも第２のｅＮＢとの間へのアップリンク送信電力の割振りを含む指示は、デバイス６０５−ｃまたは第２のｅＮＢのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥが利用可能な総アップリンク送信電力のうちのより多くが、ＵＥがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥが利用可能な総アップリンク送信電力のうちのより多くが、そのｅＮＢに割り振られ得る。
【０１５２】
[0164]いくつかの例では、デバイス６０５−ｃと少なくとも第２のｅＮＢとの間へのアップリンク送信電力の割振りを含む指示は、実質的にすべてに送信電力がデバイス６０５−ｃまたは第２のｅＮＢに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【０１５３】
[0165]いくつかの場合、指示は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【０１５４】
[0166]次に図１０を参照すると、ブロック図１０００は、本開示の様々な態様による、ワイヤレス通信に使用可能なデバイス６０５−ｄの例を示す。デバイス６０５−ｄは、図１、図２、図３、図４、図５、または図６に関して説明されたような、第１のｅＮＢとして構成される第１のｅＮＢ１０５またはデバイス６０５の１つの、１つまたは複数の態様の例であり得る。デバイス６０５−ｄはまた、プロセッサであり得る。デバイス６０５−ｄは、受信機モジュール６１０と、ワイヤレス通信管理モジュール６２０−ｄと、送信機モジュール６３０とを含み得る。これらのコンポーネントの各々は、互いに通信していることがある。
【０１５５】
[0167]デバイス６０５−ｄのコンポーネントは、ハードウェアにおいて適用可能な機能の一部またはすべてを実行するように適応された１つまたは複数のＡＳＩＣによって、個々にまたは集合的に実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１５６】
[0168]受信機モジュール６１０は、図６に関して説明された受信機モジュール６１０と同様に構成され得る。同様に、送信機モジュール６３０は、図６に関して説明された送信機モジュール６３０と同様に構成され得る。
【０１５７】
[0169]ワイヤレス通信管理モジュール６２０−ｄは、図６に関して説明されたワイヤレス通信管理モジュール６２０の例であってよく、ＵＥ多重接続管理モジュール９０５−ａと、アップリンク送信電力決定モジュール９１０−ａと、アップリンク送信電力通信モジュール９１５−ａと、電力ヘッドルーム報告処理モジュール１００５とを含み得る。
【０１５８】
[0170]ＵＥ多重接続管理モジュール９０５−ａは、ＵＥのために、少なくともデバイス６０５−ｄおよび第２のｅＮＢとの多重接続通信を協調させるために使用され得る。いくつかの場合、ＵＥは、図１、図２、図３、図４、図５、図６、図７、または図８に関して説明されたような、ＵＥとして構成されるＵＥ１１５またはデバイス６０５の１つの、１つまたは複数の態様の例であり得る。いくつかの場合、第２のｅＮＢは、図１、図２、図３、図４、図５、または図６に関して説明されたような、第２のｅＮＢとして構成される第２のｅＮＢ１３５またはデバイス６０５の１つの、１つまたは複数の態様の例であり得る。いくつかの場合、デバイス６０５−ｄはマスタｅＮＢを含んでよく、第２のｅＮＢはセカンダリｅＮＢを含んでよい。
【０１５９】
[0171]アップリンク送信電力決定モジュール９１０−ａは、ＵＥのために、デバイス６０５−ｄと少なくとも第２のｅＮＢとの間へのアップリンク送信電力の割振りを決定するために使用され得る。いくつかの場合、アップリンク送信電力は、最大アップリンク送信電力であり得る。
【０１６０】
[0172]いくつかの例では、アップリンク送信電力決定モジュール９１０−ａは、デバイス６０５−ｄと少なくとも第２のｅＮＢとの間へのアップリンク送信電力の割振りを含む指示に基づいて、デバイス６０５−ｄの複数のセルの間へのアップリンク送信電力の割振りを決定することができる。いくつかの場合には、複数のセルの間へのアップリンク送信電力の割振りは、指示において準静的に指定され得る（たとえば、デバイス６０５−ｄは、各セルに対して、アップリンク送信電力値を指定または設定することができ、このアップリンク送信電力値は、デバイス６０５−ｄと少なくとも第２のｅＮＢとの間へのアップリンク送信電力の割振りを含む調整された指示をＵＥがデバイス６０５−ｄから受信するまで、ＵＥによって使用され得る）。他の場合には、複数のセルの間へのアップリンク送信電力の割振りは、指示において時間インデックスごとに準静的に指定され得る（たとえば、デバイス６０５−ｄは、各セル、各時間インデックスに対して、複数のアップリンク送信電力値を指定または設定することができ、このアップリンク送信電力値は、デバイス６０５−ｄと少なくとも第２のｅＮＢとの間へのアップリンク送信電力の割振りを含む調整された指示をＵＥがデバイス６０５−ｄから受信するまで、ＵＥによって使用され得る）。
【０１６１】
[0173]アップリンク送信電力通信モジュール９１５−ａは、ＵＥへのアップリンク送信電力割振りの割振りを含む指示を送信するために使用され得る。
【０１６２】
[0174]デバイス６０５−ｄまたは第２のｅＮＢがＴＤＤモードで動作するときのような、いくつかの例では、デバイス６０５−ｄと少なくとも第２のｅＮＢとの間へのアップリンク送信電力の割振りを含む指示は、デバイス６０５−ｄまたは第２のｅＮＢのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥが利用可能な総アップリンク送信電力のうちのより多くが、ＵＥがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥが利用可能な総アップリンク送信電力のうちのより多くが、そのｅＮＢに割り振られ得る。
【０１６３】
[0175]いくつかの例では、デバイス６０５−ｄと少なくとも第２のｅＮＢとの間へのアップリンク送信電力の割振りを含む指示は、実質的にすべてに送信電力がデバイス６０５−ｄまたは第２のｅＮＢに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【０１６４】
[0176]いくつかの場合、指示は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【０１６５】
[0177]電力ヘッドルーム報告処理モジュール１００５は、少なくともデバイス６０５−ｄおよび第２のｅＮＢのための電力ヘッドルーム情報を含む電力ヘッドルーム報告を受信するために使用され得る。いくつかの場合、図８に関して説明された電力ヘッドルーム報告生成モジュール８０５に関して説明されたように、第２のｅＮＢのためのＵＥのアップリンク送信電力、第２のｅＮＢのための測定された経路損失の変動、または第２のｅＮＢがアップリンクセルをアクティブ化したことの少なくとも１つに応答して、電力ヘッドルーム報告が受信され得る。いくつかの場合、電力ヘッドルーム報告は、デバイス６０５−ｂがトリガメッセージ（たとえば、電力ヘッドルーム報告に対する要求）をＵＥに送信したことに応答して受信され得る。
【０１６６】
[0178]電力ヘッドルーム報告処理モジュール１００５は任意選択で、第２のｅＮＢに電力ヘッドルーム報告を送信することができる。
【０１６７】
[0179]いくつかの例では、電力ヘッドルーム報告は、ＵＥがデバイス６０５−ｄと第２のｅＮＢとの間へのアップリンク送信電力の割振りを修正したことを示すことができ、電力ヘッドルーム報告処理モジュール１００５は、電力ヘッドルーム報告に基づいて、ＵＥがデバイス６０５−ｄと第２のｅＮＢとの間へのアップリンク送信電力の割振りを修正したことを決定するために使用され得る。他の例では、電力ヘッドルーム報告は、ＵＥがデバイス６０５−ｄと第２のｅＮＢとの間へのアップリンク送信電力の割振りを修正したことを示さないことがある。
【０１６８】
[0180]いくつかの場合、ＵＬ送信電力決定モジュール９１０−ａが、電力ヘッドルーム報告に基づいてＵＥのためのデバイス６０５−ｄと第２のｅＮＢとの間へのアップリンク送信電力の割振りを調整するために使用され得る。いくつかの場合、調整は、第１のｅＮＢと第２のｅＮＢとの間へのアップリンク送信電力の割振りに対するＵＥによる修正に基づき得る。いくつかの場合、ＵＬ送信電力通信モジュール９１５−ａは、ＵＥまたは第２のｅＮＢの少なくとも１つに、アップリンク送信電力の調整された割振りを送信するために使用され得る。
【０１６９】
[0181]デバイス６０５−ｄのいくつかの例では、ＵＥのためのデバイス６０５−ｄと第２のｅＮＢとの間へのアップリンク送信電力の割振りの調整は、さらに、または代替的に、第２のｅＮＢからデバイス６０５−ｄにおいて受信されたメッセージに基づいて行われ得る。このメッセージは、ＵＥの電力ヘッドルーム報告または第２のｅＮＢによって生成された情報を含み得る。
【０１７０】
[0182]デバイス６０５−ｄのいくつかの例では、ワイヤレス通信管理モジュール６２０−ｄは、ＵＥとの通信（たとえば、ダウンリンク通信またはアップリンク通信）をスケジューリングすることができる。ＵＥとデバイス６０５−ｄとの間の通信は、ＵＥと第２のｅＮＢとの間の通信とは独立にスケジューリングされ得る。
【０１７１】
[0183]図１１は、本開示の様々な態様による、ワイヤレス通信のために構成されるＵＥ１１５−ｅのブロック図１１００を示す。ＵＥ１１５−ｅは様々な構成を有してよく、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネット機器、ゲームコンソール、電子リーダーなどに含まれてよく、またはその一部であってよい。いくつかの場合、ＵＥ１１５−ｅは、モバイル動作を容易にするために、小型バッテリーなどの内部電源（図示されず）を有し得る。いくつかの例では、ＵＥ１１５−ｅは、図１、図２、図３、図４、図５、図６、図７、または図８に関して説明されたような、ＵＥとして構成されるＵＥ１１５またはデバイス６０５の１つの、１つまたは複数の態様の例であり得る。ＵＥ１１５−ｅは、図１、図２、図３、図４、図５、図６、図７、または図８に関して説明されたＵＥの特徴および機能の少なくともいくつかを実装するように構成され得る。図１、図２、図３、図４、図５、図６、図９、または図１０に関して説明されたように、ＵＥ１１５−ｅは、第１のｅＮＢとして構成される第１のｅＮＢ１０５もしくはデバイス６０５の１つと、または、第２のｅＮＢとして構成される第２のｅＮＢ１３５もしくはデバイス６０５の１つまたは複数と通信するように構成され得る。
【０１７２】
[0184]ＵＥ１１５−ｅは、プロセッサモジュール１１１０と、メモリ１１２０と、少なくとも１つの送受信機モジュール（送受信機モジュール１１３０によって表される）と、少なくとも１つのアンテナ（アンテナ１１４０によって表される）と、ワイヤレス通信管理モジュール６２０−ｅとを含み得る。これらのコンポーネントの各々は、１つまたは複数のバス１１３５を通じて、直接または間接的に、互いに通信していてよい。
【０１７３】
[0185]メモリ１１２０は、ランダムアクセスメモリ（ＲＡＭ）または読取り専用メモリ（ＲＯＭ）を含み得る。メモリ１１２０は、実行されると、ワイヤレス通信を管理するために本明細書で説明される様々な機能をプロセッサモジュール１１１０に実行させるように構成される命令を含む、コンピュータ可読の、コンピュータ実行可能コード１１２５を記憶し得る。代替的に、コード１１２５は、プロセッサモジュール１１１０によって直接実行可能ではないことがあるが、（たとえば、コンパイルされ実行されると）ＵＥ１１５−ｅに、本明細書で説明されるＵＥの様々な特徴と機能とを実装させるように構成され得る。
【０１７４】
[0186]プロセッサモジュール１１１０は、インテリジェントハードウェアデバイス、たとえば、ＣＰＵ、マイクロコントローラ、ＡＳＩＣなどを含み得る。プロセッサモジュール１１１０は、送受信機モジュール１１３０を通じて受信された情報、またはアンテナ１１４０を介した送信のために送受信機モジュール１１３０に送られるべき情報を処理することができる。プロセッサモジュール１１１０はまた、単独で、またはワイヤレス通信管理モジュール６２０−ｅとともに、第１のｅＮＢおよび第２のｅＮＢとの通信のためにアップリンク送信電力を管理する様々な態様を扱い得る。
【０１７５】
[0187]送受信機モジュール１１３０は、パケットを変調し、変調されたパケットを送信のためにアンテナ１１４０に与え、アンテナ１１４０から受信されたパケットを復調するように構成されるモデムを含み得る。いくつかの場合、送受信機モジュール１１３０は、１つまたは複数の送信機モジュールおよび１つまたは複数の別個の受信機モジュールとして実装され得る。送受信機モジュール１１３０は、アンテナ１１４０を介して１つまたは複数のｅＮＢ１０５、１３５、または他のＵＥ１１５と双方向に通信するように構成され得る。ＵＥ１１５−ｅは単一のアンテナを含み得るが、ＵＥ１１５−ｅが複数のアンテナ１１４０を含み得る例があり得る。
【０１７６】
[0188]ワイヤレス通信管理モジュール６２０−ｅは、図６、図７、または図８に関して説明されたワイヤレス通信管理モジュール６２０の１つまたは複数の態様の例であってよく、図３、図４、図５、図６、図７、または図８に関して説明されたワイヤレス通信管理機能の一部またはすべてを実行または制御するように構成され得る。
【０１７７】
[0189]図１１のアーキテクチャによれば、ＵＥ１１５−ｅは状態モジュール１１５０をさらに含み得る。状態モジュール１１５０は、現在のデバイス状態（たとえば、状況、認証、基地局との関連付け、他の接続性問題）を反映および制御し得る。
【０１７８】
[0190]例として、ワイヤレス通信管理モジュール６２０−ｅもしくは状態モジュール１１５０の各々、またはそれらの一方もしくは両方のモジュールの一部分は、１つまたは複数のバス１１３５を介してＵＥ１１５−ｅの他のコンポーネントの一部またはすべてと通信しているＵＥ１１５−ｅのコンポーネントであり得る。代替的に、ワイヤレス通信管理モジュール６２０−ｅもしくは状態モジュール１１５０の機能はプロセッサを使用して実装されてよく、あるいは、ワイヤレス通信管理モジュール６２０−ｅもしくは状態モジュール１１５０の機能の一部もしくはすべては、コード１１２５もしくはプロセッサモジュール１１１０によって実装されてよく、またはプロセッサモジュール１１１０とともに実装されてよい。
【０１７９】
[0191]ＵＥ１１５−ｅのコンポーネントは、個別にまたは集合的に、適用可能な機能の一部またはすべてをハードウェアにおいて実行するように適応された１つまたは複数のＡＳＩＣを使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各コンポーネントの機能はまた、全体的にまたは部分的に、１つまたは複数の汎用または特定用途向けプロセッサによって実行されるようにフォーマットされた、メモリに具現化された命令によって実装され得る。言及されたモジュールの各々は、ＵＥ１１５−ｅの動作に関する１つまたは複数の機能を実行するための手段であり得る。
【０１８０】
[0192]図１２は、本開示の様々な態様による、ワイヤレス通信のために構成されるｅＮＢ１０５−ｅを示すブロック図１２００を示す。いくつかの例では、ｅＮＢ１０５−ｅは、図１、図２、図３、図４、図５、図６、図９、または図１０に関して説明されたような、第１のｅＮＢとして構成される第１のｅＮＢ１０５もしくはデバイス６０５のうちの１つの１つまたは複数の態様、または第２のｅＮＢ１３５のうちの１つの態様の例であり得る。ｅＮＢ１０５−ｅは、図１、図２、図３、図４、図５、図６、図９、または図１０に関して説明された第１のｅＮＢまたは第２のｅＮＢの特徴および機能の少なくともいくつかを実装するように構成され得る。ｅＮＢ１０５−ｅは、図１、図２、図３、図４、図５、図６、図７、または図８に関して説明されたように、ＵＥとして構成されるＵＥ１１５またはデバイス６０５の１つまたは複数と通信するように構成され得る。ｅＮＢ１０５−ｅはまた、図２、図３、図４、図５、図６、図７、図８、図９、図１０、または図１１に関して説明されたように、第１のｅＮＢまたは第２のｅＮＢ１３５と通信するように構成され得る。
【０１８１】
[0193]ｅＮＢ１０５−ｅは、プロセッサモジュール１２１０と、メモリ１２２０と、少なくとも１つの送受信機モジュール（送受信機モジュール１２３０によって表される）と、少なくとも１つのアンテナ（アンテナ１２４０によって表される）と、ワイヤレス通信管理モジュール６２０−ｆとを含み得る。ｅＮＢ１０５−ｅはまた、ｅＮＢ通信モジュール１２５０とネットワーク通信モジュール１２６０の１つまたは複数を含み得る。これらのコンポーネントの各々は、１つまたは複数のバス１２３５を通じて、直接または間接的に互いに通信していてよい。
【０１８２】
[0194]メモリ１２２０は、ＲＡＭまたはＲＯＭを含み得る。メモリ１２２０は、実行されると、ワイヤレス通信を管理するために本明細書で説明される様々な機能をプロセッサモジュール１２１０に実行させるように構成される命令を含む、コンピュータ可読の、コンピュータ実行可能コード１２２５を記憶し得る。代替的に、コード１２２５は、プロセッサモジュール１２１０によって直接実行可能ではないことがあるが、（たとえば、コンパイルされ実行されると）ｅＮＢ１０５−ｅに、本明細書で説明されるｅＮＢの様々な特徴と機能とを実行させるように構成され得る。
【０１８３】
[0195]プロセッサモジュール１２１０は、インテリジェントハードウェアデバイス、たとえば、ＣＰＵ、マイクロコントローラ、ＡＳＩＣなどを含み得る。プロセッサモジュール１２１０は、送受信機モジュール１２３０、ｅＮＢ通信モジュール１２５０、またはネットワーク通信モジュール１２６０を通じて受信された情報を処理することができる。プロセッサモジュール１２１０はまた、アンテナ１２４０を通じた送信のために送受信機モジュール１２３０へ、１つまたは複数の他のｅＮＢ１０５−ｆおよび１０５−ｇへの送信のためにｅＮＢ通信モジュール１２５０へ、または、図１に関して説明されたコアネットワーク１３０の１つまたは複数の態様の例であり得るコアネットワーク１３０−ａへの送信のためにネットワーク通信モジュール１２６０へ送られるべき情報を処理することができる。プロセッサモジュール１２１０、単独で、またはワイヤレス通信管理モジュール６２０−ｆとともに、ｅＮＢ１０５−ｅおよび少なくとも１つの他のｅＮＢと通信する１つまたは複数のＵＥのアップリンク送信電力を管理する様々な態様を扱い得る。
【０１８４】
[0196]送受信機モジュール１２３０は、パケットを変調し、変調されたパケットを送信のためにアンテナ１２４０に与え、アンテナ１２４０から受信されたパケットを復調するように構成されるモデムを含み得る。いくつかの場合、送受信機モジュール１２３０は、１つまたは複数の送信機モジュールおよび１つまたは複数の別個の受信機モジュールとして実装され得る。送受信機モジュール１２４０は、アンテナ１２４０を介して１つまたは複数のＵＥ１１５と双方向に通信するように構成され得る。ｅＮＢ１０５−ｅは通常、複数のアンテナ１２４０（たとえば、アンテナアレイ）を含み得る。ｅＮＢ１０５−ｅは、ネットワーク通信モジュール１２６０を通じてコアネットワーク１３０−ａと通信することができる。ｅＮＢ１０５−ｅはまた、ｅＮＢ通信モジュール１２５０を使用して、ｅＮＢ１０５−ｆおよび１０５−ｇのような他のｅＮＢと通信することができる。
【０１８５】
[0197]ワイヤレス通信管理モジュール６２０−ｆは、図６、図９、または図１０に関して説明されたワイヤレス通信管理モジュール６２０の１つまたは複数の態様の例であってよく、図３、図４、図５、図６、図９、または図１０に関して説明されたワイヤレス通信管理機能の一部またはすべてを実行または制御するように構成され得る。例として、ワイヤレス通信管理モジュール６２０−ｆ、またはその一部分は、１つまたは複数のバス１２３５を介してｅＮＢ１０５−ｅの他のコンポーネントの一部またはすべてと通信しているｅＮＢ１０５−ｅのコンポーネントであり得る。代替的に、ワイヤレス通信管理モジュール６２０−ｆの機能はプロセッサを使用して実装されてよく、あるいは、ワイヤレス通信管理モジュール６２０−ｆの機能の一部もしくはすべては、コード１２２５もしくはプロセッサモジュール１２１０によって実装されてよく、またはプロセッサモジュール１２１０とともに実装されてよい。
【０１８６】
[0198]ｅＮＢ１０５−ｅのコンポーネントは、個別にまたは集合的に、適用可能な機能の一部またはすべてをハードウェアにおいて実行するように適合された１つまたは複数のＡＳＩＣを使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各コンポーネントの機能はまた、全体的にまたは部分的に、１つまたは複数の汎用または特定用途向けプロセッサによって実行されるようにフォーマットされた、メモリに具現化された命令によって実装され得る。言及されたモジュールの各々は、ｅＮＢ１０５−ｅの動作に関する１つまたは複数の機能を実行するための手段であり得る。ｅＮＢ１０５−ｅのコンポーネントは、いくつかの場合、２つ以上の基地局の間で反復的に現れ、または分布し得る。
【０１８７】
[0199]図１３は、本開示の様々な態様による、ＵＥによるワイヤレス通信の方法１３００を示すフローチャートである。明確にするために、方法１３００は、図１、図２、図３、図４、図５、図６、図７、図８、もしくは図１に関して説明されたような、ＵＥとして構成されるＵＥ１１５またはデバイス６０５の１つの態様、図１、図２、図３、図４、図５、図６、図９、図１０、もしくは図１２に関して説明されたような、第１のｅＮＢとして構成される第１のｅＮＢ１０５もしくはデバイス６０５の１つの態様、または、図１、図２、図３、図４、図５、図６、もしくは図１２に関して説明されたような、第２のｅＮＢとして構成される第２のｅＮＢ１３５もしくはデバイス６０５の１つの態様に関して以下で説明される。一実装形態では、図６、図７、図８、または図１１に関して説明されたワイヤレス通信管理モジュール６２０は、以下で説明される機能を実行するためにＵＥとして構成されるＵＥ１１５またはデバイス６０５の機能要素を制御するように、コードの１つまたは複数のセットを実行することができる。
【０１８８】
[0200]ブロック１３０５において、第１のｅＮＢおよび第２のｅＮＢとの接続が確立されてよく、第１のｅＮＢと第２のｅＮＢの各々が、それぞれのアップリンク通信のために無線リソースをＵＥに提供する。第１のｅＮＢおよび第２のｅＮＢの各々はまた、それぞれのダウンリンク通信のために無線リソースをＵＥ１１５−ｂに提供することができる。いくつかの場合、第１のｅＮＢはマスタｅＮＢを含んでよく、第２のｅＮＢはセカンダリｅＮＢを含んでよい。ブロック１３０５における動作は、図６、図７、図８、もしくは図１１に関して説明されたワイヤレス通信管理モジュール６２０、または、図７もしくは図８に関して説明されたｅＮＢ接続管理モジュール７０５を使用して実行または管理され得る。
【０１８９】
[0201]ブロック１３１０において、第１のｅＮＢと少なくとも第２のｅＮＢとの間へのアップリンク送信電力の割振りの指示は、第１のｅＮＢから受信され得る。いくつかの場合、アップリンク送信電力の割振りの指示は、第１のｅＮＢと少なくとも第２のｅＮＢの各々に割り振られた最大アップリンク送信電力の指示を含み得る。ブロック１３１０における動作は、図６、図７、図８、もしくは図１１に関して説明されたワイヤレス通信管理モジュール６２０、または、図７もしくは図８に関して説明されたアップリンク送信電力管理モジュール７１０を使用して実行または管理され得る。
【０１９０】
[0202]第１のｅＮＢまたは第２のｅＮＢがＴＤＤモードで動作するときのような、いくつかの例では、第１のｅＮＢと少なくとも第２のｅＮＢとの間へのアップリンク送信電力の割振りを含む指示は、第１のｅＮＢまたは第２のｅＮＢのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥが利用可能な総アップリンク送信電力のうちのより多くが、ＵＥがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥが利用可能な総アップリンク送信電力のうちのより多くが、そのｅＮＢに割り振られ得る。
【０１９１】
[0203]いくつかの例では、第１のｅＮＢと少なくとも第２のｅＮＢとの間へのアップリンク送信電力の割振りを含む指示は、実質的にすべてに送信電力が第１のｅＮＢまたは第２のｅＮＢに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【０１９２】
[0204]いくつかの場合、指示は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【０１９３】
[0205]いくつかの例では、ＵＥは、第１のｅＮＢと少なくとも第２のｅＮＢとの間へのアップリンク送信電力の割振りを含む指示に基づいて、第１のｅＮＢまたは第２のｅＮＢの複数のセルの間へのアップリンク送信電力の割振りを決定することができる。いくつかの場合には、複数のセルの間へのアップリンク送信電力の割振りは、指示において準静的に指定され得る（たとえば、第１のｅＮＢは、各セルに対して、アップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。他の場合には、複数のセルの間へのアップリンク送信電力の割振りは、指示において時間インデックスごとに準静的に指定され得る（たとえば、第１のｅＮＢは、各セル、各時間インデックスに対して、複数のアップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。
【０１９４】
[0206]いくつかの例では、第１のｅＮＢと少なくとも第２のｅＮＢとの間へのアップリンク送信電力の割振りを含む指示は、第１のｅＮＢとの通信および第２のｅＮＢとの通信との間への総送信電力の割振りを含み得る。これらの例では、ＵＥは、ＵＥにおいて、第１のｅＮＢと少なくとも第２のｅＮＢとの間へのアップリンク送信電力の割振りを含む指示に基づいて、第１のｅＮＢまたは第２のｅＮＢによって制御される複数のセルの各々のアップリンク送信電力を決定することができる。いくつかの場合、セルごとのアップリンク送信電力（たとえば、セルごとの最大アップリンク送信電力）は、ＵＥにおいて動的に調整され得る。
【０１９５】
[0207]ブロック１３１５において、アップリンク通信は、第１のｅＮＢと少なくとも第２のｅＮＢとの間へのアップリンク送信電力の割振りを含む指示に基づいて、ＵＥから第１のｅＮＢおよび第２のｅＮＢへ送信され得る。ブロック１３１５における動作は、図６、図７、図８、もしくは図１１に関して説明されたワイヤレス通信管理モジュール６２０、または、図７もしくは図８に関して説明されたアップリンク通信管理モジュール７１５を使用して実行または管理され得る。
【０１９６】
[0208]したがって、方法１３００はワイヤレス通信のために使用され得る。方法１３００は一実装形態にすぎず、方法１３００の動作は、他の実装形態が可能であるように再構成され、または別様に修正され得ることに留意されたい。
【０１９７】
[0209]図１４は、本開示の様々な態様による、ＵＥによるワイヤレス通信の方法１４００を示すフローチャートである。明確にするために、方法１４００は、図１、図２、図３、図４、図５、図６、図７、図８、もしくは図１に関して説明されたような、ＵＥとして構成されるＵＥ１１５またはデバイス６０５の１つの態様、図１、図２、図３、図４、図５、図６、図９、図１０、もしくは図１２に関して説明されたような、第１のｅＮＢとして構成される第１のｅＮＢ１０５もしくはデバイス６０５の１つの態様、または、図１、図２、図３、図４、図５、図６、もしくは図１２に関して説明されたような、第２のｅＮＢとして構成される第２のｅＮＢ１３５もしくはデバイス６０５の１つの態様に関して以下で説明される。一実装形態では、図６、図７、図８、または図１１に関して説明されたワイヤレス通信管理モジュール６２０は、以下で説明される機能を実行するためにＵＥとして構成されるＵＥ１１５またはデバイス６０５の機能要素を制御するように、コードの１つまたは複数のセットを実行することができる。
【０１９８】
[0210]ブロック１４０５において、第１のｅＮＢおよび第２のｅＮＢとの接続が確立されてよく、第１のｅＮＢと第２のｅＮＢの各々が、それぞれのアップリンク通信のために無線リソースをＵＥに提供する。第１のｅＮＢおよび第２のｅＮＢの各々はまた、それぞれのダウンリンク通信のために無線リソースをＵＥ１１５−ｂに提供することができる。いくつかの場合、第１のｅＮＢはマスタｅＮＢを含んでよく、第２のｅＮＢはセカンダリｅＮＢを含んでよい。ブロック１４０５における動作は、図６、図７、図８、もしくは図１１に関して説明されたワイヤレス通信管理モジュール６２０、または、図７もしくは図８に関して説明されたｅＮＢ接続管理モジュール７０５を使用して実行または管理され得る。
【０１９９】
[0211]ブロック１４１０において、第１のｅＮＢと少なくとも第２のｅＮＢとの間へのアップリンク送信電力の割振りの指示は、第１のｅＮＢから受信され得る。いくつかの場合、アップリンク送信電力の割振りの指示は、第１のｅＮＢと少なくとも第２のｅＮＢの各々に割り振られた最大アップリンク送信電力の指示、またはアップリンク送信電力の百分率を含み得る。ブロック１４１０における動作は、図６、図７、図８、もしくは図１１に関して説明されたワイヤレス通信管理モジュール６２０、または、図７もしくは図８に関して説明されたアップリンク送信電力管理モジュール７１０を使用して実行または管理され得る。
【０２００】
[0212]第１のｅＮＢまたは第２のｅＮＢがＴＤＤモードで動作するときのような、いくつかの例では、第１のｅＮＢと少なくとも第２のｅＮＢとの間へのアップリンク送信電力の割振りを含む指示は、第１のｅＮＢまたは第２のｅＮＢのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥが利用可能な総アップリンク送信電力のうちのより多くが、ＵＥがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥが利用可能な総アップリンク送信電力のうちのより多くが、そのｅＮＢに割り振られ得る。
【０２０１】
[0213]いくつかの例では、第１のｅＮＢと少なくとも第２のｅＮＢとの間へのアップリンク送信電力の割振りを含む指示は、実質的にすべてに送信電力が第１のｅＮＢまたは第２のｅＮＢに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【０２０２】
[0214]いくつかの場合、指示は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【０２０３】
[0215]いくつかの例では、ＵＥは、第１のｅＮＢと少なくとも第２のｅＮＢとの間へのアップリンク送信電力の割振りを含む指示に基づいて、第１のｅＮＢまたは第２のｅＮＢの複数のセルの間へのアップリンク送信電力の割振りを決定することができる。いくつかの場合には、複数のセルの間へのアップリンク送信電力の割振りは、指示において準静的に指定され得る（たとえば、第１のｅＮＢは、各セルに対して、アップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。他の場合には、複数のセルの間へのアップリンク送信電力の割振りは、指示において時間インデックスごとに準静的に指定され得る（たとえば、第１のｅＮＢは、各セル、各時間インデックスに対して、複数のアップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。
【０２０４】
[0216]いくつかの例では、第１のｅＮＢと少なくとも第２のｅＮＢとの間へのアップリンク送信電力の割振りを含む指示は、第１のｅＮＢとの通信と第２のｅＮＢとの通信との間への総送信電力の割振りを含み得る。これらの例では、ＵＥは、ＵＥにおいて、第１のｅＮＢと少なくとも第２のｅＮＢとの間へのアップリンク送信電力の割振りを含む指示に基づいて、第１のｅＮＢまたは第２のｅＮＢによって制御される複数のセルの各々のアップリンク送信電力を決定することができる。いくつかの場合、セルごとのアップリンク送信電力（たとえば、セルごとの最大アップリンク送信電力）は、ＵＥにおいて動的に調整され得る。
【０２０５】
[0217]ブロック１４１５において、アップリンク通信は、第１のｅＮＢと少なくとも第２のｅＮＢとの間へのアップリンク送信電力の割振りを含む指示に基づいて、ＵＥから第１のｅＮＢおよび第２のｅＮＢへ送信され得る。ブロック１４１５における動作は、図６、図７、図８、もしくは図１１に関して説明されたワイヤレス通信管理モジュール６２０、または、図７もしくは図８に関して説明されたアップリンク通信管理モジュール７１５を使用して実行または管理され得る。
【０２０６】
[0218]ブロック１４２０において、ＵＥにおける電力ヘッドルーム報告がトリガされ得る。いくつかの例では、ｅＮＢ（たとえば、第１のｅＮＢまたは第２のｅＮＢ）のための電力ヘッドルーム報告は、ｅＮＢまたは近隣のｅＮＢ（たとえば、電力ヘッドルーム報告がトリガされるｅＮＢ以外のｅＮＢ）の条件に基づいて、トリガされ得る。例として、ｅＮＢまたは近隣のｅＮＢの条件は、ｅＮＢまたは近隣のｅＮＢのためのＵＥのアップリンク送信電力が閾値を通過したという決定であり得る。いくつかの場合、閾値はｅＮＢに対する最大アップリンク電力を含み得る。さらなる例として、ｅＮＢまたは近隣のｅＮＢの条件は、ｅＮＢまたは近隣のｅＮＢの測定された経路損失（たとえば、閾値を満たす経路損失の変動）であり得る。またさらなる例として、ｅＮＢまたは近隣のｅＮＢの条件は、ｅＮＢまたは近隣のｅＮＢがアップリンクセルをアクティブ化したという決定であり得る。
【０２０７】
[0219]ブロック１４２５において、電力ヘッドルーム報告がＵＥにおいて生成され得る。電力ヘッドルーム報告は、第１のｅＮＢと第２のｅＮＢの両方のための電力ヘッドルーム情報を含み得る。第１のｅＮＢと第２のｅＮＢの両方に対する電力ヘッドルーム情報を含むことで、電力ヘッドルーム報告のオーバーヘッドが減り、ｅＮＢがＵＥによって使用される総アップリンク送信電力を推定することが可能になり得る。いくつかの例では、電力ヘッドルーム情報は式１を使用して計算され得る。
【０２０８】
[0220]ブロック１４２０または１４２５における動作は、図６、図７、図８、もしくは図１１に関して説明されたワイヤレス通信管理モジュール６２０、または、図８に関して説明された電力ヘッドルーム報告生成モジュール８０５を使用して実行または管理され得る。
【０２０９】
[0221]いくつかの例では、電力ヘッドルーム報告は、電力ヘッドルーム報告がトリガされるｅＮＢへ自動的に送信され得る。他の例では、ブロック１４３０において、電力ヘッドルーム報告は、ｅＮＢから受信されたトリガメッセージに応答して、電力ヘッドルーム報告がトリガされるｅＮＢへ送信され得る。後者の例では、例として、第１のｅＮＢのためにトリガされる電力ヘッドルーム報告は、第１のｅＮＢから受信されたトリガメッセージに応答して第１のｅＮＢへ送信され得る。
【０２１０】
[0222]ブロック１４３５において、電力ヘッドルーム報告が第１のｅＮＢまたは第２のｅＮＢに送信され得る。いくつかの場合、電力ヘッドルーム報告は、電力ヘッドルーム報告がトリガされたｅＮＢに送信され得る（たとえば、第１のｅＮＢに対してトリガされる電力ヘッドルーム報告が第１のｅＮＢに送信され得る）。他の場合、電力ヘッドルーム報告は、電力ヘッドルーム報告がトリガされたｅＮＢ、さらには近隣のｅＮＢに送信され得る（たとえば、第１のｅＮＢに対してトリガされる電力ヘッドルーム報告が第１のｅＮＢおよび第２のｅＮＢに送信され得る）。後者の場合、ＵＥは、いくつかの場合、近隣のｅＮＢへのアップリンク送信のためにＵＥにアップリンクリソースが割り振られるという決定に基づいて、電力ヘッドルーム報告を近隣のｅＮＢに送信することができる。ブロック１４３５における動作は、図６、図７、図８、もしくは図１１に関して説明されたワイヤレス通信管理モジュール６２０、または、図８に関して説明された電力ヘッドルーム報告送信モジュール８１０を使用して実行または管理され得る。
【０２１１】
[0223]ブロック１４４０において、アップリンク送信電力の割振りを含む第２の指示が第１のｅＮＢから受信され得る。第２の指示が、ブロック１４３５において送信された電力ヘッドルーム報告に応答して受信され得る。アップリンク送信電力の割振りを含む第２の指示は、第１のｅＮＢまたは第２のｅＮＢに割り振られたアップリンク送信電力を変更することができる。ブロック１４４０における動作は、図６、図７、図８、もしくは図１１に関して説明されたワイヤレス通信管理モジュール６２０、または、図７もしくは図８に関して説明されたアップリンク送信電力管理モジュール７１０を使用して実行または管理され得る。
【０２１２】
[0224]ブロック１４４５において、アップリンク送信電力の割振りを含む第２の指示を受信した後で、ＵＥは、アップリンク送信電力の割振りを含む第２の指示において第１のｅＮＢまたは第２のｅＮＢに割り振られているアップリンク送信電力に関して、第１のｅＮＢおよび第２のｅＮＢのための電力ヘッドルームを決定することができる。ブロック１４４５における動作は、図６、図７、図８、もしくは図１１に関して説明されたワイヤレス通信管理モジュール６２０、または、図８に関して説明された電力ヘッドルーム報告生成モジュール８０５を使用して実行または管理され得る。
【０２１３】
[0225]したがって、方法１４００はワイヤレス通信のために使用され得る。方法１４００は一実装形態にすぎず、方法１４００の動作は、他の実装形態が可能であるように再構成され、または別様に修正され得ることに留意されたい。
【０２１４】
[0226]図１５は、本開示の様々な態様による、ＵＥによるワイヤレス通信の方法１５００を示すフローチャートである。明確にするために、方法１５００は、図１、図２、図３、図４、図５、図６、図７、図８、もしくは図１に関して説明されたような、ＵＥとして構成されるＵＥ１１５またはデバイス６０５の１つの態様、図１、図２、図３、図４、図５、図６、図９、図１０、もしくは図１２に関して説明されたような、第１のｅＮＢとして構成される第１のｅＮＢ１０５もしくはデバイス６０５の１つの態様、または、図１、図２、図３、図４、図５、図６、もしくは図１２に関して説明されたような、第２のｅＮＢとして構成される第２のｅＮＢ１３５もしくはデバイス６０５の１つの態様に関して以下で説明される。一実装形態では、図６、図７、図８、または図１１に関して説明されたワイヤレス通信管理モジュール６２０は、以下で説明される機能を実行するためにＵＥとして構成されるＵＥ１１５またはデバイス６０５の機能要素を制御するように、コードの１つまたは複数のセットを実行することができる。
【０２１５】
[0227]ブロック１５０５において、第１のｅＮＢおよび第２のｅＮＢとの接続が確立されてよく、第１のｅＮＢと第２のｅＮＢの各々が、それぞれのアップリンク通信のために無線リソースをＵＥに提供する。第１のｅＮＢおよび第２のｅＮＢの各々はまた、それぞれのダウンリンク通信のために無線リソースをＵＥ１１５−ｂに提供することができる。いくつかの場合、第１のｅＮＢはマスタｅＮＢを含んでよく、第２のｅＮＢはセカンダリｅＮＢを含んでよい。ブロック１５０５における動作は、図６、図７、図８、もしくは図１１に関して説明されたワイヤレス通信管理モジュール６２０、または、図７もしくは図８に関して説明されたｅＮＢ接続管理モジュール７０５を使用して実行または管理され得る。
【０２１６】
[0228]ブロック１５１０において、第１のｅＮＢと少なくとも第２のｅＮＢとの間へのアップリンク送信電力の割振りを含む指示は、第１のｅＮＢから受信され得る。いくつかの場合、アップリンク送信電力の割振りの指示は、第１のｅＮＢと少なくとも第２のｅＮＢの各々に割り振られた最大アップリンク送信電力の指示を含み得る。ブロック１５１０における動作は、図６、図７、図８、もしくは図１１に関して説明されたワイヤレス通信管理モジュール６２０、または、図７もしくは図８に関して説明されたアップリンク送信電力管理モジュール７１０を使用して実行または管理され得る。
【０２１７】
[0229]第１のｅＮＢまたは第２のｅＮＢがＴＤＤモードで動作するときのような、いくつかの例では、第１のｅＮＢと少なくとも第２のｅＮＢとの間へのアップリンク送信電力の割振りを含む指示は、第１のｅＮＢまたは第２のｅＮＢのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥが利用可能な総アップリンク送信電力のうちのより多くが、ＵＥがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥが利用可能な総アップリンク送信電力のうちのより多くが、そのｅＮＢに割り振られ得る。
【０２１８】
[0230]いくつかの例では、第１のｅＮＢと少なくとも第２のｅＮＢとの間へのアップリンク送信電力の割振りを含む指示は、実質的にすべてに送信電力が第１のｅＮＢまたは第２のｅＮＢに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【０２１９】
[0231]いくつかの場合、指示は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【０２２０】
[0232]いくつかの例では、ＵＥは、第１のｅＮＢと少なくとも第２のｅＮＢとの間へのアップリンク送信電力の割振りを含む指示に基づいて、第１のｅＮＢまたは第２のｅＮＢの複数のセルの間へのアップリンク送信電力の割振りを決定することができる。いくつかの場合には、複数のセルの間へのアップリンク送信電力の割振りは、指示において準静的に指定され得る（たとえば、第１のｅＮＢは、各セルに対して、アップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。他の場合には、複数のセルの間へのアップリンク送信電力の割振りは、指示において時間インデックスごとに準静的に指定され得る（たとえば、第１のｅＮＢは、各セル、各時間インデックスに対して、複数のアップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。
【０２２１】
[0233]いくつかの例では、第１のｅＮＢと少なくとも第２のｅＮＢとの間へのアップリンク送信電力の割振りを含む指示は、第１のｅＮＢとの通信と第２のｅＮＢとの通信との間への総送信電力の割振りを含み得る。これらの例では、ＵＥは、ＵＥにおいて、第１のｅＮＢと少なくとも第２のｅＮＢとの間へのアップリンク送信電力の割振りを含む指示に基づいて、第１のｅＮＢまたは第２のｅＮＢによって制御される複数のセルの各々のアップリンク送信電力を決定することができる。いくつかの場合、セルごとのアップリンク送信電力（たとえば、セルごとの最大アップリンク送信電力）は、ＵＥにおいて動的に調整され得る。
【０２２２】
[0234]ブロック１５１５において、アップリンク通信は、第１のｅＮＢと少なくとも第２のｅＮＢとの間へのアップリンク送信電力の割振りを含む指示に基づいて、ＵＥから第１のｅＮＢおよび第２のｅＮＢへ送信され得る。ブロック１５１５における動作は、図６、図７、図８、もしくは図１１に関して説明されたワイヤレス通信管理モジュール６２０、または、図７もしくは図８に関して説明されたアップリンク通信管理モジュール７１５を使用して実行または管理され得る。
【０２２３】
[0235]ブロック１５２０において、第１のｅＮＢと第２のｅＮＢとの間への総アップリンク送信電力の割振り（またはセルの間へのアップリンク送信電力の割振り）がＵＥによって修正され得る。いくつかの場合、ＵＥは、あるｅＮＢまたはセルに割り振られているアップリンク送信電力を借り、借りたアップリンク送信電力を別のｅＮＢまたはセルに割り振り直すことによって、総アップリンク送信電力の割振りを修正することができる。いくつかの場合、総アップリンク送信電力の割振りの修正は、ｅＮＢの一方（たとえば、第１のｅＮＢまたは第２のｅＮＢ）のためのアップリンクデータまたは制御情報の、ｅＮＢの他方に対する優先度に基づき得る。この修正はさらに、または代替的に、セルのためのアップリンクデータまたは制御情報の優先度に基づき得る。この修正はさらに、または代替的に、ｅＮＢまたはセルによるアップリンクの不使用に基づき得る。
【０２２４】
[0236]ブロック１５２５において、ＵＥにおける電力ヘッドルーム報告は、第１のｅＮＢと第２のｅＮＢとの間への（または第１のｅＮＢと第２のｅＮＢの１つまたは複数のセルの間への）アップリンク送信電力の割振りのＵＥによる修正に基づいてトリガされ得る。いくつかの場合、電力ヘッドルーム報告は、第１のｅＮＢまたは第２のｅＮＢの１つのアップリンク送信電力がそのｅＮＢに割り振られている最大送信電力を超えたという指示を含み得る。
【０２２５】
[0237]ブロック１５３０において、電力ヘッドルーム報告がＵＥにおいて生成され得る。電力ヘッドルーム報告は、第１のｅＮＢと第２のｅＮＢの両方のための電力ヘッドルーム情報を含み得る。第１のｅＮＢと第２のｅＮＢの両方に対する電力ヘッドルーム情報を含むことで、電力ヘッドルーム報告のオーバーヘッドが減り、ｅＮＢがＵＥによって使用される総アップリンク送信電力を推定することが可能になり得る。いくつかの例では、電力ヘッドルーム情報は式１を使用して計算され得る。
【０２２６】
[0238]ブロック１５３５において、電力ヘッドルーム報告が第１のｅＮＢまたは第２のｅＮＢに送信され得る。いくつかの場合、電力ヘッドルーム報告は、アップリンク送信電力の割振りの修正の間に電力を受け取ったｅＮＢへ送信され得る。そのような電力ヘッドルーム報告は、負の電力ヘッドルーム情報を含み得る。他の場合、電力ヘッドルーム報告は、アップリンク送信電力の割振りの修正の間に電力がそこから借用される、ｅＮＢへ送信され得る。後者の電力ヘッドルーム報告は、ｅＮＢまたはセルに対する設定された最大電力から、借用される電力を差し引き得る。セルごとの電力ヘッドルーム情報の場合、電力ヘッドルーム情報は式２を使用して計算され得る。
【０２２７】
[0239]ブロック１５４０において、アップリンク送信電力の割振りを含む第２の指示が、アップリンク送信電力の割振りのＵＥによる修正に応答して、第１のｅＮＢから受信され得る。
【０２２８】
[0240]したがって、方法１５００はワイヤレス通信のために使用され得る。方法１５００は一実装形態にすぎず、方法１５００の動作は、他の実装形態が可能であるように再構成され、または別様に修正され得ることに留意されたい。
【０２２９】
[0241]図１６は、本開示の様々な態様による、ワイヤレス通信の方法１６００を示すフローチャートである。明確にするために、方法１６００は、図１、図２、図３、図４、図５、図６、図９、図１０、もしくは図１２に関して説明されたような、第１のｅＮＢとして構成される第１のｅＮＢ１０５またはデバイス６０５の１つの態様、図１、図２、図３、図４、図５、図６、図７、図８、もしくは図１に関して説明されたような、ＵＥとして構成されるＵＥ１１５もしくはデバイス６０５の１つの態様、または、図１、図２、図３、図４、図５、図６、もしくは図１２に関して説明されたような、第２のｅＮＢとして構成される第２のｅＮＢ１３５もしくはデバイス６０５の１つの態様に関して以下で説明される。一実装形態では、図６、図９、図１０、または図１２に関して説明されたワイヤレス通信管理モジュール６２０は、以下で説明される機能を実行するために第１のｅＮＢとして構成される第１のｅＮＢ１０５またはデバイス６０５の機能要素を制御するように、コードの１つまたは複数のセットを実行することができる。
【０２３０】
[0242]ブロック１６０５において、第１のｅＮＢは、ＵＥのために、少なくとも第１のｅＮＢおよび第２のｅＮＢとの多重接続通信を協調させることができる。いくつかの場合、第１のｅＮＢはマスタｅＮＢを含んでよく、第２のｅＮＢはセカンダリｅＮＢを含んでよい。ブロック１６０５における動作は、図６、図９、図１０、もしくは図１２に関して説明されたワイヤレス通信管理モジュール６２０、または、図９もしくは図１０に関して説明されたＵＥ多重接続管理モジュール９０５を使用して実行または管理され得る。
【０２３１】
[0243]ブロック１６１０において、第１のｅＮＢと少なくとも第２のｅＮＢとの間へのアップリンク送信電力の割振りが、ＵＥのために決定され得る。いくつかの場合、アップリンク送信電力の割振りは、第１のｅＮＢと少なくとも第２のｅＮＢの各々への最大アップリンク送信電力の割振り、またはアップリンク送信電力の百分率を含み得る。ブロック１６１０における動作は、図６、図９、図１０、もしくは図１２に関して説明されたワイヤレス通信管理モジュール６２０、または、図９もしくは図１０に関して説明されたアップリンク送信電力決定モジュール９１０を使用して実行または管理され得る。
【０２３２】
[0244]いくつかの例では、第１のｅＮＢは、デバイス第１のｅＮＢと少なくとも第２のｅＮＢとの間へのアップリンク送信電力の割振りを含む指示に基づいて、第１のｅＮＢの複数のセルの間へのアップリンク送信電力の割振りを決定することができる。いくつかの場合には、複数のセルの間へのアップリンク送信電力の割振りは、指示において準静的に指定され得る（たとえば、第１のｅＮＢは、各セルに対して、アップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。他の場合には、複数のセルの間へのアップリンク送信電力の割振りは、指示において時間インデックスごとに準静的に指定され得る（たとえば、第１のｅＮＢは、各セル、各時間インデックスに対して、複数のアップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。
【０２３３】
[0245]ブロック１６１５において、アップリンク送信電力割振りの割振りを含む指示が第１のｅＮＢからＵＥに送信され得る。ブロック１６１５における動作は、図６、図９、図１０、もしくは図１２に関して説明されたワイヤレス通信管理モジュール６２０、または、図９もしくは図１０に関して説明されたアップリンク送信電力通信モジュール９１５を使用して実行または管理され得る。
【０２３４】
[0246]第１のｅＮＢまたは第２のｅＮＢがＴＤＤモードで動作するときのような、いくつかの例では、第１のｅＮＢと少なくとも第２のｅＮＢとの間へのアップリンク送信電力の割振りを含む指示は、第１のｅＮＢまたは第２のｅＮＢのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥが利用可能な総アップリンク送信電力のうちのより多くが、ＵＥがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥが利用可能な総アップリンク送信電力のうちのより多くが、そのｅＮＢに割り振られ得る。
【０２３５】
[0247]いくつかの例では、第１のｅＮＢと少なくとも第２のｅＮＢとの間へのアップリンク送信電力の割振りを含む指示は、実質的にすべてに送信電力が第１のｅＮＢまたは第２のｅＮＢに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【０２３６】
[0248]いくつかの場合、指示は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【０２３７】
[0249]したがって、方法１６００はワイヤレス通信のために使用され得る。方法１６００は一実装形態にすぎず、方法１６００の動作は、他の実装形態が可能であるように再構成され、または別様に修正され得ることに留意されたい。
【０２３８】
[0250]図１７は、本開示の様々な態様による、ワイヤレス通信の方法１７００を示すフローチャートである。明確にするために、方法１７００は、図１、図２、図３、図４、図５、図６、図９、図１０、もしくは図１２に関して説明されたような、第１のｅＮＢとして構成される第１のｅＮＢ１０５またはデバイス６０５の１つの態様、図１、図２、図３、図４、図５、図６、図７、図８、もしくは図１に関して説明されたような、ＵＥとして構成されるＵＥ１１５もしくはデバイス６０５の１つの態様、または、図１、図２、図３、図４、図５、図６、もしくは図１２に関して説明されたような、第２のｅＮＢとして構成される第２のｅＮＢ１３５もしくはデバイス６０５の１つの態様に関して以下で説明される。一実装形態では、図６、図９、図１０、または図１２に関して説明されたワイヤレス通信管理モジュール６２０は、以下で説明される機能を実行するために第１のｅＮＢとして構成される第１のｅＮＢ１０５またはデバイス６０５の機能要素を制御するように、コードの１つまたは複数のセットを実行することができる。
【０２３９】
[0251]ブロック１７０５において、第１のｅＮＢは、ＵＥのために、少なくとも第１のｅＮＢおよび第２のｅＮＢとの多重接続通信を協調させることができる。いくつかの場合、第１のｅＮＢはマスタｅＮＢを含んでよく、第２のｅＮＢはセカンダリｅＮＢを含んでよい。ブロック１７０５における動作は、図６、図９、図１０、もしくは図１２に関して説明されたワイヤレス通信管理モジュール６２０、または、図９もしくは図１０に関して説明されたＵＥ多重接続管理モジュール９０５を使用して実行または管理され得る。
【０２４０】
[0252]ブロック１７１０において、第１のｅＮＢと少なくとも第２のｅＮＢとの間へのアップリンク送信電力の割振りが、ＵＥのために決定され得る。いくつかの場合、アップリンク送信電力の割振りは、第１のｅＮＢと少なくとも第２のｅＮＢの各々への最大アップリンク送信電力の割振り、またはアップリンク送信電力の百分率を含み得る。ブロック１７１０における動作は、図６、図９、図１０、もしくは図１２に関して説明されたワイヤレス通信管理モジュール６２０、または、図９もしくは図１０に関して説明されたアップリンク送信電力決定モジュール９１０を使用して実行または管理され得る。
【０２４１】
[0253]いくつかの例では、第１のｅＮＢは、デバイス第１のｅＮＢと少なくとも第２のｅＮＢとの間へのアップリンク送信電力の割振りを含む指示に基づいて、第１のｅＮＢの複数のセルの間へのアップリンク送信電力の割振りを決定することができる。いくつかの場合には、複数のセルの間へのアップリンク送信電力の割振りは、指示において準静的に指定され得る（たとえば、第１のｅＮＢは、各セルに対して、アップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。他の場合には、複数のセルの間へのアップリンク送信電力の割振りは、指示において時間インデックスごとに準静的に指定され得る（たとえば、第１のｅＮＢは、各セル、各時間インデックスに対して、複数のアップリンク送信電力値を指定または設定することができ、このアップリンク送信電力値は、第１のｅＮＢと少なくとも第２のｅＮＢとの間へのアップリンク送信電力の割振りを含む調整された指示をＵＥが第１のｅＮＢから受信するまで、ＵＥによって使用され得る）。
【０２４２】
[0254]ブロック１７１５において、アップリンク送信電力割振りの割振りを含む指示が第１のｅＮＢからＵＥに送信され得る。ブロック１７１５における動作は、図６、図９、図１０、もしくは図１２に関して説明されたワイヤレス通信管理モジュール６２０、または、図９もしくは図１０に関して説明されたアップリンク送信電力通信モジュール９１５を使用して実行または管理され得る。
【０２４３】
[0255]第１のｅＮＢまたは第２のｅＮＢがＴＤＤモードで動作するときのような、いくつかの例では、第１のｅＮＢと少なくとも第２のｅＮＢとの間へのアップリンク送信電力の割振りを含む指示は、第１のｅＮＢまたは第２のｅＮＢのＵＬ／ＤＬ構成に少なくとも一部基づき得る。たとえば、ｅＮＢがＴＤＤモードで動作するとき、アクティブなアップリンクキャリアの数は、ｅＮＢ内の各セルのＴＤＤ構成に基づいて時間とともに変化し得る。ｅＮＢによって使用されるアクティブなアップリンクキャリアの数が特定の時間期間の間により少ないとき、その時間期間の間にＵＥが利用可能な総アップリンク送信電力のうちのより多くが、ＵＥがその時間期間の間に通信し得る別のｅＮＢに割り振られ得る。逆に、ｅＮＢによって使用されるアクティブなアップリンクキャリアの数が特定の時間期間の間により多いとき、その時間期間の間にＵＥが利用可能な総アップリンク送信電力のうちのより多くが、そのｅＮＢに割り振られ得る。
【０２４４】
[0256]いくつかの例では、第１のｅＮＢと少なくとも第２のｅＮＢとの間へのアップリンク送信電力の割振りを含む指示は、実質的にすべてに送信電力が第１のｅＮＢまたは第２のｅＮＢに割り振られ得るサブフレームの指示を含み得る。たとえば、ｅＮＢへのアップリンク通信が予期されないサブフレームまたは時間期間の間、実質的にすべてのアップリンク送信電力が１つまたは複数の他のｅＮＢに割り振られ得る。
【０２４５】
[0257]いくつかの場合、指示は時間インデックスを含み得る。時間インデックスは、ｅＮＢが特定のアップリンク送信電力に割り振られるサブフレームまたは時間期間を示すために使用されてよく、サブフレームまたは時間期間内に異なるアップリンク送信電力を異なるｅＮＢに割り振るために使用されてよい。
【０２４６】
[0258]ブロック１７２０において、少なくとも第１のｅＮＢおよび第２のｅＮＢのための電力ヘッドルーム情報を含む電力ヘッドルーム報告が、ＵＥから受信され得る。いくつかの場合、図１４のブロック１４２０に関して説明されたように、第２のｅＮＢのためのＵＥのアップリンク送信電力、第２のｅＮＢのための測定された経路損失の変動、または第２のｅＮＢがアップリンクセルをアクティブ化したことの少なくとも１つに応答して、電力ヘッドルーム報告が受信され得る。いくつかの場合、電力ヘッドルーム報告は、第１のｅＮＢがトリガメッセージ（たとえば、電力ヘッドルーム報告に対する要求）をＵＥに送信したことに応答して受信され得る。
【０２４７】
[0259]ブロック１７２５において、任意選択で、電力ヘッドルーム報告が第１のｅＮＢから第２のｅＮＢに送信され得る。
【０２４８】
[0260]いくつかの例では、電力ヘッドルーム報告は、ＵＥが第１のｅＮＢと第２のｅＮＢとの間へのアップリンク送信電力の割振りを修正したことを示すことができ、ブロック１７３０において、第１のｅＮＢは、電力ヘッドルーム報告に基づいて、ＵＥが第１のｅＮＢと第２のｅＮＢとの間へのアップリンク送信電力の割振りを修正したことを決定することができる。他の例では、電力ヘッドルーム報告は、ＵＥが第１のｅＮＢと第２のｅＮＢとの間へのアップリンク送信電力の割振りを修正したことを示さないことがある。
【０２４９】
[0261]ブロック１７３５において、ＵＥのための第１のｅＮＢと第２のｅＮＢとの間へのアップリンク送信電力の割振りは、電力ヘッドルーム報告に基づいて調整され得る。いくつかの場合、調整は、ブロック１７３０において決定されるような、第１のｅＮＢと第２のｅＮＢとの間へのアップリンク送信電力の割振りに対するＵＥによる修正に基づき得る。
【０２５０】
[0262]ブロック１７４０において、アップリンク送信電力の調整された割振りは、ＵＥまたは第２のｅＮＢの少なくとも１つに送信され得る。
【０２５１】
[0263]デバイス１７００のいくつかの例では、ブロック１７３５において、ＵＥのための第１のｅＮＢと第２のｅＮＢとの間へのアップリンク送信電力の割振りの調整は、さらに、または代替的に、第２のｅＮＢから第１のｅＮＢにおいて受信されたメッセージに基づいて行われ得る。このメッセージは、ＵＥの電力ヘッドルーム報告または第２のｅＮＢによって生成された情報を含み得る。
【０２５２】
[0264]方法１７００のいくつかの例では、第１のｅＮＢは、ＵＥとの通信（たとえば、ダウンリンク通信またはアップリンク通信）をスケジューリングすることができる。ＵＥと第１のｅＮＢとの間の通信は、ＵＥと第２のｅＮＢとの間の通信とは独立にスケジューリングされ得る。
【０２５３】
[0265]したがって、方法１７００はワイヤレス通信のために使用され得る。方法１７００は一実装形態にすぎず、方法１７００の動作は、他の実装形態が可能であるように再構成され、または別様に修正され得ることに留意されたい。
【０２５４】
[0266]情報および信号は、種々の異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２５５】
[0267]本明細書において本開示とともに説明される様々な例示的なブロックおよびモジュールは、適用可能な機能の一部またはすべてをハードウェアにおいて実行するように適応された１つまたは複数の特定用途向け集積回路（ＡＳＩＣ）によって、個別にまたは集合的に、実装または実行され得る。代替的に、機能は、汎用プロセッサもしくはデジタル信号プロセッサ（ＤＳＰ）のような１つまたは複数の他の処理ユニット（またはコア）によって、または、１つまたは複数の集積回路上で実行され得る。汎用プロセッサは、マイクロプロセッサ、任意の従来のプロセッサ、コントローラ、マイクロコントローラ、状態機械、またはこれらの組合せであり得る。プロセッサは、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成としても実装され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。ブロックおよびモジュールの各々の機能はまた、全体的にまたは部分的に、１つまたは複数の汎用または特定用途向けプロセッサによって実行されるようにフォーマットされた、メモリ中に組み込まれた命令によって実装され得る。
【０２５６】
[0268]本明細書において説明される機能は、ハードウェア、プロセッサによって実行されるソフトウェア、ファームウェア、またはそれらの任意の組合せで実装され得る。プロセッサによって実行されるソフトウェアで実装される場合、機能は、コンピュータ可読媒体上に記憶されるか、またはコンピュータ可読媒体を介して１つまたは複数の命令もしくはコードとして送信され得る。他の例および実装形態は、本開示および添付の特許請求の範囲の範囲および趣旨内にある。たとえば、ソフトウェアの性質により、上で説明された機能は、プロセッサ、ハードウェア、ファームウェア、配線、またはこれらのうちのいずれかの組合せによって実行されるソフトウェアを使用して実現され得る。機能を実装する特徴はまた、機能の一部が異なる物理的場所において実装されるように分散されることを含めて、様々な位置に物理的に配置され得る。また、特許請求の範囲を含めて、本明細書で使用される場合、「のうちの少なくとも１つ」で終わる項目の列挙中で使用されるときのような「または」は、たとえば、「Ａ、Ｂ、またはＣのうちの少なくとも１つ」の列挙が、ＡまたはＢまたはＣ、またはＡＢまたはＡＣまたはＢＣまたはＡＢＣ（すなわち、ＡおよびＢおよびＣ）を意味するような選言的列挙を示す。
【０２５７】
[0269]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送または記憶するために使用され、汎用もしくは専用コンピュータまたは汎用もしくは専用プロセッサによってアクセスされ得る、任意の他の媒体を備え得る。また、任意の接続がコンピュータ可読媒体と適切に呼ばれる。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０２５８】
[0270]添付の図面に関連して上に記載された詳細な説明は、当業者が本開示を作成または使用することを可能にするために与えられる。本開示に対する様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、言及された例についてのいかなる選好も暗示または要求しない。発明を実施するための形態は、説明される技法の理解をもたらすための具体的な詳細を含む。しかしながら、これらの技法は、これらの特定の詳細を伴わずに実践され得る。いくつかの事例では、説明された例の概念を不明瞭にすることを避けるために、よく知られている構造およびデバイスがブロック図の形態で示されている。したがって、本開示は、本明細書において説明される例および設計に限定されるべきでなく、本明細書において開示される原理および新規の特徴に合致する最も広い範囲を与えられるべきである。
【図１】
2020061740.tif 000005
【図２】
2020061740.tif 000006
【図３】
2020061740.tif 000007
【図４】
2020061740.tif 000008
【図５】
2020061740.tif 000009
【図６】
2020061740.tif 000010
【図７】
2020061740.tif 000011
【図８】
2020061740.tif 000012
【図９】
2020061740.tif 000013
【図１０】
2020061740.tif 000014
【図１１】
2020061740.tif 000015
【図１２】
2020061740.tif 000016
【図１３】
2020061740.tif 000017
【図１４】
2020061740.tif 000018
【図１５】
2020061740.tif 000019
【図１６】
2020061740.tif 000020
【図１７】
2020061740.tif 000021
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
第１の進化型ノードＢ（ｅＮＢ）および第２のｅＮＢとの接続を確立することと、ここにおいて、前記第１のｅＮＢと前記第２のｅＮＢの各々が、それぞれのアップリンク通信のために無線リソースを前記ＵＥに提供し、
前記ＵＥによって、複数のｅＮＢのためのアップリンク送信電力の設定の指示を、前記第１のｅＮＢから受信することと、ここで、前記設定は、前記第１のｅＮＢのための第１のアップリンク送信電力値と前記第２のｅＮＢのための第２のアップリンク送信電力値とを含み、
前記ＵＥによって、前記ＵＥに対する最大送信電力を超えることなく、前記受信した指示の前記設定の対応する前記第１のまたは第２のアップリンク送信電力値によって提供されるよりも多くのアップリンク送信電力を、前記第１のｅＮＢへのまたは前記第２のｅＮＢへの前記それぞれのアップリンク通信の一方に割り振ることと、
前記ＵＥから前記第１のｅＮＢおよび前記第２のｅＮＢに前記それぞれのアップリンク通信を送信することと
を備える、方法。
【請求項２】
前記第１のｅＮＢと前記第２のｅＮＢの両方のための電力ヘッドルーム情報を備える電力ヘッドルーム報告を前記ＵＥにおいて生成することと、
前記電力ヘッドルーム報告を前記第１のｅＮＢおよび前記第２のｅＮＢのうちの少なくとも１つに送信することと
をさらに備える、請求項１に記載の方法。
【請求項３】
前記電力ヘッドルーム情報が、前記第１のｅＮＢと前記第２のｅＮＢの両方からのスケジューリング情報に少なくとも一部基づき、
前記第１のｅＮＢおよび前記第２のｅＮＢがリソースの異なるセット上で前記ＵＥとの通信をスケジューリングする、
請求項２に記載の方法。
【請求項４】
前記第１のｅＮＢまたは前記第２のｅＮＢから受信されたトリガメッセージに応答して、前記電力ヘッドルーム報告が前記第１のｅＮＢまたは前記第２のｅＮＢに送信される、請求項２に記載の方法。
【請求項５】
前記トリガメッセージが、前記第１のｅＮＢまたは前記第２のｅＮＢがアップリンクセルをアクティブ化したことの指示を備える、請求項４に記載の方法。
【請求項６】
前記第２のｅＮＢの測定された経路損失に基づいて、前記電力ヘッドルーム報告を前記ＵＥにおいてトリガすること
をさらに備える、請求項２に記載の方法。
【請求項７】
前記ＵＥにおいて、前記指示に少なくとも一部基づいて、前記第１のｅＮＢまたは前記第２のｅＮＢによって制御される複数のセルの各々のアップリンク送信電力を決定することを
さらに備える、請求項１に記載の方法。
【請求項８】
より多くのアップリンク送信電力を前記第１のｅＮＢまたは前記第２のｅＮＢへの前記それぞれのアップリンク通信の一方に割振ることは、前記第１のｅＮＢまたは前記第２のｅＮＢへの前記それぞれのアップリンク通信の前記一方のためのアップリンクデータまたは制御情報の、前記第１のｅＮＢまたは前記第２のｅＮＢへの前記それぞれのアップリンク通信の他方のためのアップリンクデータまたは制御情報に対する優先度に少なくとも一部基づいて実行される、請求項１に記載の方法。
【請求項９】
前記受信した指示の前記設定の対応する前記第１のまたは第２のアップリンク送信電力値によって提供されるよりも低いアップリンク送信電力を、前記第１のｅＮＢまたは前記第２のｅＮＢへの前記それぞれのアップリンク通信の他方に割り振ること
をさらに備え、前記第１のｅＮＢまたは前記第２のｅＮＢへの前記それぞれのアップリンク通信の前記他方に割り振られた前記より低いアップリンク送信電力は、前記第１のｅＮＢへのまたは前記第２のｅＮＢへの前記それぞれのアップリンク通信の前記一方に割り振られた前記より多くのアップリンク電力に対応する、請求項１に記載の方法。
【請求項１０】
より多くのアップリンク送信電力を前記第１のｅＮＢまたは前記第２のｅＮＢへの前記それぞれのアップリンク通信の一方に割振ることは、前記ＵＥのための前記最大送信電力の残りの電力、あるいは、前記第１のｅＮＢまたは前記第２のｅＮＢへの前記それぞれのアップリンク通信の他方のための実際の電力要求と、前記第１のｅＮＢまたは前記第２のｅＮＢへの前記それぞれのアップリンク通信の前記他方のための前記設定の対応する前記第１または第２のアップリンク送信電力値よりも低いこと、との差に関連付けられた利用可能な電力の少なくとも一方を借りることを備える、請求項１に記載の方法。
【請求項１１】
前記第１のｅＮＢまたは前記第２のｅＮＢへの前記それぞれのアップリンク通信の他方への通信のためのアップリンクの使用に少なくとも一部基づいて、前記より多くのアップリンク電力を割り振ると決定すること
をさらに備える、請求項１に記載の方法。
【請求項１２】
ユーザ機器（ＵＥ）によるワイヤレス通信のためのデバイスであって、
プロセッサと、
前記プロセッサと電子通信しているメモリと、
前記メモリに記憶された命令と
を備え、前記命令は、
第１の進化型ノードＢ（ｅＮＢ）および第２のｅＮＢとの接続を確立することと、ここにおいて、前記第１のｅＮＢと前記第２のｅＮＢの各々が、それぞれのアップリンク通信のために無線リソースを前記ＵＥに提供し、
前記ＵＥにおいて、複数のｅＮＢのためのアップリンク送信電力の設定の指示を、前記第１のｅＮＢから受信することと、ここで、前記設定は、前記第１のｅＮＢのための第１のアップリンク送信電力値と前記第２のｅＮＢのための第２のアップリンク送信電力値とを含み、
前記ＵＥに対する最大送信電力を超えることなく、前記受信した指示の前記設定の対応する前記第１のまたは第２のアップリンク送信電力値によって提供されるよりも多くのアップリンク送信電力を、前記第１のｅＮＢまたは前記第２のｅＮＢへの前記それぞれのアップリンク通信の一方に割り振ることと、
前記ＵＥから前記第１のｅＮＢおよび前記第２のｅＮＢに前記それぞれのアップリンク通信を送信することと
を行うように前記プロセッサによって実行可能である、デバイス。
【請求項１３】
前記命令は、
前記第１のｅＮＢと前記第２のｅＮＢの両方のための電力ヘッドルーム情報を備える電力ヘッドルーム報告を前記ＵＥにおいて生成することと、
前記電力ヘッドルーム報告を前記第１のｅＮＢおよび前記第２のｅＮＢのうちの少なくとも１つに送信することと
を行うように前記プロセッサによって実行可能である、請求項１２に記載のデバイス。
【請求項１４】
前記電力ヘッドルーム情報が、前記第１のｅＮＢと前記第２のｅＮＢの両方からのスケジューリング情報に少なくとも一部基づき、
前記第１のｅＮＢおよび前記第２のｅＮＢがリソースの異なるセット上で前記ＵＥとの通信をスケジューリングする、
請求項１３に記載のデバイス。
【請求項１５】
前記第１のｅＮＢまたは前記第２のｅＮＢから受信されたトリガメッセージに応答して、前記電力ヘッドルーム報告が前記第１のｅＮＢまたは前記第２のｅＮＢに送信される、請求項１３に記載のデバイス。
【請求項１６】
前記トリガメッセージが、前記第１のｅＮＢまたは前記第２のｅＮＢがアップリンクセルをアクティブ化したことの指示を備える、請求項１５に記載のデバイス。
【請求項１７】
前記命令は、
前記第２のｅＮＢの測定された経路損失に基づいて、前記電力ヘッドルーム報告を前記ＵＥにおいてトリガすること
を行うように前記プロセッサによって実行可能である、請求項１３に記載のデバイス。
【請求項１８】
前記命令は、
前記ＵＥにおいて、前記指示に少なくとも一部基づいて、前記第１のｅＮＢまたは前記第２のｅＮＢによって制御される複数のセルの各々のアップリンク送信電力を決定すること
を行うように前記プロセッサによって実行可能である、請求項１２に記載のデバイス。
【請求項１９】
ワイヤレス通信のための装置であって、
第１の進化型ノードＢ（ｅＮＢ）および第２のｅＮＢとの接続を確立するための手段と、ここにおいて、前記第１のｅＮＢと前記第２のｅＮＢの各々が、それぞれのアップリンク通信のために無線リソースを前記装置に提供し、
前記装置によって、複数のｅＮＢのためのアップリンク送信電力の設定の指示を、前記第１のｅＮＢから受信するための手段と、ここで、前記設定は、前記第１のｅＮＢのための第１のアップリンク送信電力値と前記第２のｅＮＢのための第２のアップリンク送信電力値とを含み、
前記装置によって、前記装置に対する最大送信電力を超えることなく、前記受信した指示の前記設定の対応する前記第１のまたは第２のアップリンク送信電力値によって提供されるよりも多くのアップリンク送信電力を、前記第１のｅＮＢへのまたは前記第２のｅＮＢへの前記それぞれのアップリンク通信の一方に割り振るための手段と、
前記装置から前記第１のｅＮＢおよび前記第２のｅＮＢに前記それぞれのアップリンク通信を送信するための手段と
を備える、装置。
【請求項２０】
前記第１のｅＮＢと前記第２のｅＮＢの両方のための電力ヘッドルーム情報を備える電力ヘッドルーム報告を前記装置において生成するための手段と、
前記電力ヘッドルーム報告を前記第１のｅＮＢおよび前記第２のｅＮＢのうちの少なくとも１つに送信するための手段と
をさらに備える、請求項１９に記載の装置。
【請求項２１】
前記電力ヘッドルーム情報が、前記第１のｅＮＢと前記第２のｅＮＢの両方からのスケジューリング情報に少なくとも一部基づき、
前記第１のｅＮＢおよび前記第２のｅＮＢがリソースの異なるセット上で前記装置との通信をスケジューリングする、
請求項２０に記載の装置。
【請求項２２】
前記第１のｅＮＢまたは前記第２のｅＮＢから受信されたトリガメッセージに応答して、前記電力ヘッドルーム報告が前記第１のｅＮＢまたは前記第２のｅＮＢに送信される、請求項２０に記載の装置。
【請求項２３】
前記トリガメッセージが、前記第１のｅＮＢまたは前記第２のｅＮＢがアップリンクセルをアクティブ化したことの指示を備える、請求項２２に記載の装置。
【請求項２４】
前記第２のｅＮＢの測定された経路損失に基づいて、前記電力ヘッドルーム報告を前記装置においてトリガするための手段
をさらに備える、請求項２０に記載の装置。
【請求項２５】
前記装置において、前記指示に少なくとも一部基づいて、前記第１のｅＮＢまたは前記第２のｅＮＢによって制御される複数のセルの各々のアップリンク送信電力を決定するための手段
をさらに備える、請求項１９に記載の装置。
【請求項２６】
ユーザ機器（ＵＥ）によるワイヤレス通信のコードを記憶した非一時的コンピュータ可読記憶媒体であって、前記コードは、
第１の進化型ノードＢ（ｅＮＢ）および第２のｅＮＢとの接続を確立することと、ここにおいて、前記第１のｅＮＢと前記第２のｅＮＢの各々が、それぞれのアップリンク通信のために無線リソースを前記ＵＥに提供し、
前記ＵＥによって、複数のｅＮＢのためのアップリンク送信電力の設定の指示を、前記第１のｅＮＢから受信することと、ここで、前記設定は、前記第１のｅＮＢのための第１のアップリンク送信電力値と前記第２のｅＮＢのための第２のアップリンク送信電力値とを含み、
前記ＵＥによって、前記ＵＥに対する最大送信電力を超えることなく、前記受信した指示の前記設定の対応する前記第１のまたは第２のアップリンク送信電力値によって提供されるよりも多くのアップリンク送信電力を、前記第１のｅＮＢへのまたは前記第２のｅＮＢへの前記それぞれのアップリンク通信の一方に割り振ることと、
前記ＵＥから前記第１のｅＮＢおよび前記第２のｅＮＢに前記それぞれのアップリンク通信を送信することと
を行うためにプロセッサによって実行可能な命令を備える、非一時的コンピュータ可読記憶媒体。
【請求項２７】
前記命令は、
前記第１のｅＮＢと前記第２のｅＮＢの両方のための電力ヘッドルーム情報を備える電力ヘッドルーム報告を前記ＵＥにおいて生成することと、
前記電力ヘッドルーム報告を前記第１のｅＮＢおよび前記第２のｅＮＢのうちの少なくとも１つに送信することと
を行うようにさらに実行可能である、請求項２６に記載の非一時的コンピュータ可読記憶媒体。
【請求項２８】
前記電力ヘッドルーム情報が、前記第１のｅＮＢと前記第２のｅＮＢの両方からのスケジューリング情報に少なくとも一部基づき、
前記第１のｅＮＢおよび前記第２のｅＮＢがリソースの異なるセット上で前記ＵＥとの通信をスケジューリングする、
請求項２７に記載の非一時的コンピュータ可読記憶媒体。
【請求項２９】
前記第１のｅＮＢまたは前記第２のｅＮＢから受信されたトリガメッセージに応答して、前記電力ヘッドルーム報告が前記第１のｅＮＢまたは前記第２のｅＮＢに送信される、請求項２７に記載の非一時的コンピュータ可読記憶媒体。
【請求項３０】
前記命令は、
前記指示に少なくとも一部基づいて、前記第１のｅＮＢまたは前記第２のｅＮＢによって制御される複数のセルの各々のアップリンク送信電力を決定すること
を行うようにさらに実行可能である、請求項２６に記載の非一時的コンピュータ可読記憶媒体。
【手続補正２】
【補正対象書類名】明細書
【補正対象項目名】０２５８
【補正方法】変更
【補正の内容】
【０２５８】
[0270]添付の図面に関連して上に記載された詳細な説明は、当業者が本開示を作成または使用することを可能にするために与えられる。本開示に対する様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、言及された例についてのいかなる選好も暗示または要求しない。発明を実施するための形態は、説明される技法の理解をもたらすための具体的な詳細を含む。しかしながら、これらの技法は、これらの特定の詳細を伴わずに実践され得る。いくつかの事例では、説明された例の概念を不明瞭にすることを避けるために、よく知られている構造およびデバイスがブロック図の形態で示されている。したがって、本開示は、本明細書において説明される例および設計に限定されるべきでなく、本明細書において開示される原理および新規の特徴に合致する最も広い範囲を与えられるべきである。
以下に本願の出願当初の特許請求の範囲に記載された発明を付記する。
［Ｃ１］
ユーザ機器（ＵＥ）によるワイヤレス通信の方法であって、
第１の進化型ノードＢ（ｅＮＢ）および第２のｅＮＢとの接続を確立することと、ここにおいて、前記第１のｅＮＢと前記第２のｅＮＢの各々が、それぞれのアップリンク通信のために無線リソースを前記ＵＥに提供し、
前記ＵＥにおいて、前記第１のｅＮＢと少なくとも前記第２のｅＮＢとの間へのアップリンク送信電力の割振りを備える指示を、前記第１のｅＮＢから受信することと、
前記指示に基づいて、前記ＵＥから前記第１のｅＮＢおよび前記第２のｅＮＢに前記アップリンク通信を送信することと
を備える、方法。
［Ｃ２］
前記第１のｅＮＢと前記第２のｅＮＢの両方のための電力ヘッドルーム情報を備える電力ヘッドルーム報告を前記ＵＥにおいて生成することと、
前記電力ヘッドルーム報告を前記第１のｅＮＢに送信することと
をさらに備える、Ｃ１に記載の方法。
［Ｃ３］
前記電力ヘッドルーム情報が、前記第１のｅＮＢと前記第２のｅＮＢの両方からのスケジューリング情報に少なくとも一部基づき、前記第１のｅＮＢおよび前記第２のｅＮＢがリソースの異なるセット上で前記ＵＥとの通信をスケジューリングする、Ｃ２に記載の方法。
［Ｃ４］
前記第１のｅＮＢまたは前記第２のｅＮＢから受信されたトリガメッセージに応答して、前記電力ヘッドルーム報告が前記第１のｅＮＢまたは前記第２のｅＮＢに送信される、Ｃ２に記載の方法。
［Ｃ５］
前記トリガメッセージが、前記第１のｅＮＢまたは前記第２のｅＮＢがアップリンクセルをアクティブ化したことの指示を備える、Ｃ４に記載の方法。
［Ｃ６］
前記電力ヘッドルーム報告を前記第２のｅＮＢに送信することをさらに備える、Ｃ２に記載の方法。
［Ｃ７］
前記第２のｅＮＢの測定された経路損失に基づいて、前記電力ヘッドルーム報告を前記ＵＥにおいてトリガすることをさらに備える、Ｃ２に記載の方法。
［Ｃ８］
前記ＵＥによって、前記第１のｅＮＢと前記第２のｅＮＢとの間へのアップリンク送信電力の前記割振りを修正することをさらに備える、Ｃ１に記載の方法。
［Ｃ９］
アップリンク送信電力の前記割振りの前記修正が、前記ｅＮＢの一方のためのアップリンクデータまたは制御情報の、前記ｅＮＢの他方に対する優先度に基づく、Ｃ８に記載の方法。
［Ｃ１０］
前記ＵＥにおいて、前記指示に基づいて、前記第１のｅＮＢまたは前記第２のｅＮＢによって制御される複数のセルの各々のアップリンク送信電力を決定することをさらに備える、Ｃ１に記載の方法。
［Ｃ１１］
前記第１のｅＮＢがマスタｅＮＢを備え、前記第２のｅＮＢがセカンダリｅＮＢを備える、Ｃ１に記載の方法。
［Ｃ１２］
ユーザ機器（ＵＥ）におけるワイヤレス通信のための装置であって、
第１の進化型ノードＢ（ｅＮＢ）および第２のｅＮＢとの接続を確立するための手段と、ここにおいて、前記第１のｅＮＢと前記第２のｅＮＢの各々が、それぞれのアップリンク通信のために無線リソースを前記ＵＥに提供し、
前記ＵＥにおいて、前記第１のｅＮＢと少なくとも前記第２のｅＮＢとの間へのアップリンク送信電力の割振りを備える指示を、前記第１のｅＮＢから受信するための手段と、
前記指示に基づいて、前記ＵＥから前記第１のｅＮＢおよび前記第２のｅＮＢに前記アップリンク通信を送信するための手段とを備える、装置。
［Ｃ１３］
前記第１のｅＮＢと前記第２のｅＮＢの両方のための電力ヘッドルーム情報を備える電力ヘッドルーム報告を前記ＵＥにおいて生成するための手段と、
前記電力ヘッドルーム報告を前記第１のｅＮＢに送信するための手段と
をさらに備える、Ｃ１２に記載の装置。
［Ｃ１４］
前記電力ヘッドルーム情報が、前記第１のｅＮＢと前記第２のｅＮＢの両方からのスケジューリング情報に少なくとも一部基づき、前記第１のｅＮＢおよび前記第２のｅＮＢがリソースの異なるセット上で前記ＵＥとの通信をスケジューリングする、Ｃ１３に記載の装置。
［Ｃ１５］
前記第１のｅＮＢまたは前記第２のｅＮＢから受信されたトリガメッセージに応答して、前記電力ヘッドルーム報告が前記第１のｅＮＢまたは前記第２のｅＮＢに送信される、Ｃ１３に記載の装置。
［Ｃ１６］
前記トリガメッセージが、前記第１のｅＮＢまたは前記第２のｅＮＢがアップリンクセルをアクティブ化したことの指示を備える、Ｃ１５に記載の装置。
［Ｃ１７］
前記電力ヘッドルーム報告を前記第２のｅＮＢに送信するための手段をさらに備える、Ｃ１３に記載の装置。
［Ｃ１８］
前記第２のｅＮＢの測定された経路損失に基づいて、前記電力ヘッドルーム報告を前記ＵＥにおいてトリガするための手段をさらに備える、Ｃ１３に記載の装置。
［Ｃ１９］
前記ＵＥによって、前記第１のｅＮＢと前記第２のｅＮＢとの間へのアップリンク送信電力の前記割振りを修正するための手段をさらに備える、Ｃ１２に記載の装置。
［Ｃ２０］
アップリンク送信電力の前記割振りの前記修正が、前記ｅＮＢの一方のためのアップリンクデータまたは制御情報の、前記ｅＮＢの他方に対する優先度に基づく、Ｃ１９に記載のデバイス。
［Ｃ２１］
前記ＵＥにおいて、前記指示に基づいて、前記第１のｅＮＢまたは前記第２のｅＮＢによって制御される複数のセルの各々のアップリンク送信電力を決定するための手段をさらに備える、Ｃ１２に記載の装置。
［Ｃ２２］
前記第１のｅＮＢがマスタｅＮＢを備え、前記第２のｅＮＢがセカンダリｅＮＢを備える、Ｃ１２に記載のデバイス。
［Ｃ２３］
ワイヤレス通信の方法であって、
第１の進化型ノードＢ（ｅＮＢ）によって、少なくとも前記第１のｅＮＢおよび第２のｅＮＢとのユーザ機器（ＵＥ）のための多重接続通信を協調させることと、
前記ＵＥのために、前記ｅＮＢにおいて、前記第１のｅＮＢと少なくとも前記第２のｅＮＢとの間へのアップリンク送信電力の割振りを決定することと、
アップリンク送信電力割振りの前記割振りを備える指示を前記第１のｅＮＢから前記ＵＥに送信することと
を備える、方法。
［Ｃ２４］
前記第２のｅＮＢから前記第１のｅＮＢにおいて受信されたメッセージに基づいて、前記第１のｅＮＢと前記第２のｅＮＢとの間へのアップリンク送信電力の前記割振りを調整することをさらに備える、Ｃ２３に記載の方法。
［Ｃ２５］
前記第１のｅＮＢから前記第２のｅＮＢにアップリンク送信電力の前記割振りを送信することをさらに備える、Ｃ２３に記載の方法。
［Ｃ２６］
前記第１のｅＮＢから前記第２のｅＮＢにアップリンク送信電力の前記割振りを送信することが、
前記第１のｅＮＢと前記第２のｅＮＢとの間のＸ２インターフェースを通じて、アップリンク送信電力の前記割振りを備えるメッセージを送信することを備える、Ｃ２５に記載の方法。
［Ｃ２７］
ワイヤレス通信のための装置であって、
第１の進化型ノードＢ（ｅＮＢ）によって、少なくとも前記第１のｅＮＢおよび第２のｅＮＢとのユーザ機器（ＵＥ）のための多重接続通信を協調させるための手段と、
前記ＵＥのために、前記ｅＮＢにおいて、前記第１のｅＮＢと少なくとも前記第２のｅＮＢとの間へのアップリンク送信電力の割振りを決定するための手段と、
アップリンク送信電力割振りの前記割振りを備える指示を前記第１のｅＮＢから前記ＵＥに送信するための手段と
を備える、装置。
［Ｃ２８］
前記第２のｅＮＢから前記第１のｅＮＢにおいて受信されたメッセージに基づいて、前記第１のｅＮＢと前記第２のｅＮＢとの間へのアップリンク送信電力の前記割振りを調整するための手段をさらに備える、Ｃ２７に記載の装置。
［Ｃ２９］
前記第１のｅＮＢから前記第２のｅＮＢにアップリンク送信電力の前記割振りを送信するための手段をさらに備える、Ｃ２７に記載の装置。
［Ｃ３０］
前記第１のｅＮＢから前記第２のｅＮＢにアップリンク送信電力の前記割振りを送信するための前記手段が、
前記第１のｅＮＢと前記第２のｅＮＢとの間のＸ２インターフェースを通じて、アップリンク送信電力の前記割振りを備えるメッセージを送信するための手段を備える、Ｃ２９に記載の装置。
【外国語明細書】
2020061740000001.pdf